(57)【要約】【課題】  クライアントがチラシ用版下を作成する際に商品の仕入数量も入力させることで、多数のクライアントが同日あるいは同時期に販売する同じ商品の総数量をチラシ配布前に把握すること。また、多数の問屋側にインターネット上で多数のクライアントが仕入れる商品の総仕入数量を公開し、入札させることで、商品を安価に仕入れることができるようにすること。【解決手段】  チラシ用版下を作成する場合に、日付コード、場所コード、商品コード、売価を入力した後に、商品の仕入数量と希望仕入単価を入力したデータをクライアント端末１からサーバ装置２へ伝送する。サーバ装置２では、商品別に全クライアント端末１からの仕入数量と希望仕入単価を集計し、その結果をチラシ配布前に把握する。【選択図】        図１０
2007323097.tif 000002
【特許請求の範囲】
【請求項１】
多数のクライアント端末（１）とサーバ装置（２）とがインターネットなどの通信回線（３）を介して接続されており、
前記各クライアント端末（１）が設けられているクライアント側には、商品、売価をチラシのどの場所に印刷するかのレイアウトが予め決められていて、印刷場所指定用、店名表示用、売り出し期間用のコードが各印刷場所にそれぞれ設けられているレイアウトファイル（３０）と、複数種類の商品名と該商品名に対応したコードが記載されている商品コードファイル（３６）とが予め備えられており、
前記クライアント端末（１）には、前記レイアウトファイル（３０）の各コードデータと商品コードファイル（３６）のコードデータを読み取る読取手段と、前記売り出し期間や商品の売価のデータが入力される入力手段とを備え、
前記サーバ装置（２）には、前記レイアウトファイル（３０）のレイアウト、商品名、売価、店名、売り出し期間の印刷場所に対応したデータベースファイルや、商品名を予めデータ化して格納しているデータベース部（２４）と、このデータベース部（２４）を制御する制御部（２５）とを備え、
前記クライアント端末（１）から通信回線（３）を介して店名データ、売り出し期間の日付データ、商品名データ、印刷場所データ、売価データが前記サーバ装置（２）へ伝送され、該サーバ装置（２）では前記諸データに基づいて該サーバ装置（２）の制御部（２５）により前記データベース部（２４）に格納されているデータベースファイルに前記印刷場所、店名、売り出し期間、商品名、売価が設定されるようにしたチラシ配布前におけるチラシ用版下のデータ処理方法において、
前記サーバ装置（２）には、前記各クライアント端末（１）の入力手段から入力された商品の仕入数量データを仕入数量集計手段により集計し、全クライアント端末（１）からの総仕入数量をチラシ配布前に把握するようにしていることを特徴とするチラシ用版下のデータ処理方法。
【請求項２】
前記サーバ装置（２）は、前記クライアント端末（１）から伝送された商品の希望仕入単価を把握し、最低希望仕入単価を判定する機能を有していることを特徴とする請求項１に記載のチラシ用版下のデータ処理方法。
【請求項３】
前記総仕入数量の集計は商品別に行なっていることを特徴とする請求項１に記載のチラシ用版下のデータ処理方法。
【請求項４】
前記サーバ装置（２）は、全クライアント端末（１）から集計した総仕入数量と最低希望仕入単価を商品別に日付データを基準として一覧表示させるようにしていることを特徴とする請求項２または請求項３に記載のチラシ用版下のデータ処理方法。
【請求項５】
多数のクライアント端末（１）とサーバ装置（２）とがインターネットなどの通信回線（３）を介して接続されており、
前記各クライアント端末（１）が設けられているクライアント側には、商品、売価をチラシのどの場所に印刷するかのレイアウトが予め決められていて、印刷場所指定用、店名表示用、売り出し期間用のコードが各印刷場所にそれぞれ設けられているレイアウトファイル（３０）と、複数種類の商品名と該商品名に対応したコードが記載されている商品コードファイル（３６）とが予め備えられており、
前記クライアント端末（１）には、前記レイアウトファイル（３０）の各コードデータと商品コードファイル（３６）のコードデータを読み取る読取手段と、前記売り出し期間や商品の売価のデータが入力される入力手段とを備え、
前記サーバ装置（２）には、前記レイアウトファイル（３０）のレイアウト、商品名、売価、店名、売り出し期間の印刷場所に対応したデータベースファイルや、商品名を予めデータ化して格納しているデータベース部（２４）と、このデータベース部（２４）を制御する制御部（２５）とを備え、
前記クライアント端末（１）から通信回線（３）を介して店名データ、売り出し期間の日付データ、商品名データ、印刷場所データ、売価データが前記サーバ装置（２）へ伝送され、該サーバ装置（２）では前記諸データに基づいて該サーバ装置（２）の制御部（２５）により前記データベース部（２４）に格納されているデータベースファイルに前記印刷場所、店名、売り出し期間、商品名、売価が設定されるようにしたチラシ配布前におけるチラシ用版下のデータ処理システムにおいて、
前記サーバ装置（２）には、前記各クライアント端末（１）の入力手段から入力された商品の仕入数量データを集計する手段を有し、該手段により全クライアント端末（１）からの総仕入数量をチラシ配布前に把握するようにしていることを特徴とするチラシ用版下のデータ処理システム。
【請求項６】
前記サーバ装置（２）は、前記クライアント端末（１）から伝送された商品の希望仕入単価を把握し、最低希望仕入単価を判定する手段を備えていることを特徴とする請求項５に記載のチラシ用版下のデータ処理システム。
【請求項７】
前記総仕入数量の集計は商品別に行なっていることを特徴とする請求項５に記載のチラシ用版下のデータ処理システム。
【請求項８】
前記サーバ装置（２）は、全クライアント端末（１）から集計した総仕入数量と最低希望仕入単価を商品別に日付データを基準として一覧表示させる手段を備えていることを特徴とする請求項６または請求項７に記載のチラシ用版下のデータ処理システム。
【請求項９】
前記請求項５〜８のいずれかのチラシ用版下のデータ処理システムに、前記クライアント端末（１）を設置しているクライアントへ商品の納入を希望する多数の問屋の問屋端末（７０）を加え、該問屋端末（７０）は前記通信回線（３）を介して前記多数のクライアント端末（１）及びサーバ装置（２）と接続されており、
前記サーバ装置（２）には、前記各クライアント端末（１）から伝送された商品別の総仕入数量データと最低希望仕入単価データとを保存する保存手段と、前記問屋端末（７０）ごとに前記保存手段より読み出した総仕入数量データと最低希望仕入単価データに基づいて商品別の総仕入数量と最低希望仕入単価とを一覧表示させる手段と、前記各問屋端末（７０）から入力された入札価格データを保存する保存手段と、入札期限後に前記両保存手段から読み出した商品の最低希望仕入単価データと入札価格データとを比較して落札する問屋端末（７０）を商品別に決定する手段とを備えていることを特徴とするチラシ用版下のデータ処理システムを利用した入札システム。
【請求項１０】
前記サーバ装置（２）には、商品別に入札した各問屋端末（７０）からの入札価格を一覧表示させる手段を備えていることを特徴とする請求項９に記載のチラシ用版下のデータ処理システムを利用した入札システム。
【請求項１１】
前記サーバ装置（２）には、入札結果に応じて落札の成否を表示させる手段を備えていることを特徴とする請求項１０に記載のチラシ用版下のデータ処理システムを利用した入札システム。
【請求項１２】
前記サーバ装置（２）には、入札の結果、落札した問屋端末（７０）側へ商品の配送先の一覧表を伝送する手段を備えていることを特徴とする請求項１１に記載のチラシ用版下のデータ処理システムを利用した入札システム。
【請求項１３】
前記配送先の一覧表を伝送する手段の一つとして電子メールを用いていることを特徴とする請求項１２に記載のチラシ用版下のデータ処理システムを利用した入札システム。
【発明の詳細な説明】
【技術分野】
【０００１】
本発明は、新聞と共に配布されるチラシのチラシ用版下を作成する際に、入力される諸データを利用したチラシデータ処理方法及びチラシデータ処理システム、並びにこれを利用した入札システムに関するものである。
【背景技術】
【０００２】
新聞と共に配布されるチラシは、コスト及び納期等にて非常に競争が激しくなってきている。スーパーマーケットなどでは、お客の取り込みを図るために、特売品をチラシに載せているのは良く見られる現象である。チラシを週に少なくとも１回、あるいは２回配布してスーパーマーケットの売り上げを高めるようにしている。
そのため、スーパーマーケット側では、チラシを何千枚、あるいは何万枚と配布するとした場合、そのコストも膨大になる。そこで、チラシを印刷する印刷会社側にコストダウンが要求されてくる。
【０００３】
このスーパーマーケット側からのコストダウンの要求に対して克服すべく、下記の特許文献１がある。
【０００４】
【特許文献１】特許第３３０８２６１号
【０００５】
この特許文献１の特許権者及び発明者は、本出願の発明者であり、この特許文献１により、チラシを作成する場合に、印刷会社側での作業において、売価の額等の間違いを皆無にしたり、また、コストを大幅に下げ、さらには納期を大幅に短縮させることに成功したものである。
【０００６】
特許文献１に記載の技術により、チラシの印刷ミスを無くしたり、納期のスピードアップ、チラシ１枚当たりのコストの削減というスーパーマーケット側及び印刷会社側の双方の利益を得るということに関しては、十分に達成することができた。
【０００７】
しかしながら、スーパーマーケット側から見ればチラシのコストだけが下がれば良いというものではなく、最も重要なものは、仕入れる商品の単価（仕入単価）である。他のスーパーマーケットが販売する商品より安く販売するか、あるいは少なくとも同じ価格（値段）で販売しなければお客が他のスーパーマーケットに流れて、店全体の売り上げ額が減少してしまうことになる。
利益を少なくして商品を販売すると、スーパーマーケット側の全体の利益も減少することになり、スーパーマーケット側にとっては経営的に非常に厳しくなる。
【０００８】
一方、全国展開を図っている巨大スーパーでは、販売する商品は一括して大量に購入するために、商品を納入する業者側がスーパー側の言いなりになっているのが現状である。そのため、巨大スーパーは大量の商品を安く販売することが可能になり、消費者は近所にスーパーがあっても近くのスーパーには行かず、たとえ少々遠くても安い商品を販売している巨大スーパーへ足を運ぶことになる。
この結果、１店舗、あるいは２〜３店舗のみしか有しない小さなスーパーは売り上げを伸ばすことが出来なくなる。日本全体の経済、経営的な面から見れば、単に中小のスーパーが淘汰されるということになるが、中小のスーパー側から見れば到底容認できるものではない。
【０００９】
また、中小のスーパーは、日本全国に多数の店舗を有する巨大スーパーとは違って１店舗、あるいは２〜３店舗を有するに過ぎず、仕入れる商品の総数量が少なく最初から巨大スーパーに太刀打ちできるものではない。
同じ地域の複数のスーパーが共同して商品を仕入れることも考えられるが、競争相手と共同で商品を仕入れることになり、簡単にはうまく行かないのも現状である。
【００１０】
一方、スーパーに商品を納入する問屋側から見れば以下のようなことがある。例えば、商品の賞味期限の関係で早急に商品をさばきたい場合があり、しかも該商品が大量に在庫となっている場合である。この大量の在庫の商品をさばく場合でも、中小のスーパーでは量的に商品をさばくことができず、多数の中小のスーパーに行って営業活動を行なう必要がある。
そのため、賞味期限が迫った商品をさばききれず、原価より大幅な価格で納入しなければならない場合や、売れ残った在庫の商品を廃棄しなければならないという場合もある。
【００１１】
また、印刷会社側から見た場合、以下のようなことがある。印刷会社は、１社の中小のスーパーのみのチラシを印刷しているものではなく、同じ地域（例えば、京都市内、大阪市内）、あるいは隣接する地域（例えば、京阪神地区）の多数の中小のスーパーのチラシを印刷している。
そして、特許文献１に記載の技術にてチラシ用版下を作成する場合、多数の中小のスーパーからの商品データ（商品名、該商品を製造している会社名、該商品の容量、該商品の店舗での売価）を入手している。
【００１２】
また、チラシを配布する場合、チラシには日付が必ず記載されているものであり、また、チラシの配布の約３〜７日前にチラシの版下を作成している。さらに、特売等のチラシの配布は、通常は週末が多く、しかも、多数の中小のスーパーが同時期にチラシを配布している。
【００１３】
そこで、印刷会社側にはクライアントである多数の中小のスーパーからの商品情報（商品データ）が自動的に入手されることから、この商品情報を如何に利用して、１店舗のみしか有しない零細なスーパーでも巨大スーパーと比較しても同等な商品の仕入単価で仕入れることができるようにすれば、零細あるいは中小のスーパーでも巨大スーパーに対して十分に対抗することができるようになる。
【発明の開示】
【発明が解決しようとする課題】
【００１４】
本発明は上述の問題点に鑑みて提供したものであって、少なくとも以下に示す目的を持ったチラシ用版下のデータ処理方法及びチラシ用版下のデータ処理システム、並びにチラシ用版下のデータ処理システムを利用した入札システムを提供するものである。
（１）クライアントがチラシ用版下を作成する際に商品の仕入数量も入力させることで、多数のクライアントが同日あるいは同時期に販売する同じ商品の総数量をチラシ配布前に把握すること。
（２）同日あるいは同時期に販売する商品の総仕入数量は、商品別に把握すること。
（３）多数の中小のスーパーが販売する商品の総仕入数量でもって、総仕入数量を把握している印刷会社側が問屋側に商談を持ちかけて巨大スーパーと同じくらいに安価に商品を納入できるようにすること。
（４）多数のクライアントから商品の仕入数量と共に希望仕入単価も入力させて、最も安価な希望仕入単価で持って問屋側と折衝して、安価に商品を仕入れることができるようにすること。
（５）多数の問屋側にインターネット上で多数のクライアントが仕入れる商品の総仕入数量を公開し、入札させることで、商品を安価に仕入れることができるようにすること。
（６）入札の結果、落札した問屋側に商品の配送先の一覧表をインターネット上で呈示し、商品の配送を迅速化すること。
【課題を解決するための手段】
【００１５】
そこで、本発明の請求項１に記載のチラシ用版下のデータ処理方法では、多数のクライアント端末１とサーバ装置２とがインターネットなどの通信回線３を介して接続されており、
前記各クライアント端末１が設けられているクライアント側には、商品、売価をチラシのどの場所に印刷するかのレイアウトが予め決められていて、印刷場所指定用、店名表示用、売り出し期間用のコードが各印刷場所にそれぞれ設けられているレイアウトファイル３０と、複数種類の商品名と該商品名に対応したコードが記載されている商品コードファイル３６とが予め備えられており、
前記クライアント端末１には、前記レイアウトファイル３０の各コードデータと商品コードファイル３６のコードデータを読み取る読取手段と、前記売り出し期間や商品の売価のデータが入力される入力手段とを備え、
前記サーバ装置２には、前記レイアウトファイル３０のレイアウト、商品名、売価、店名、売り出し期間の印刷場所に対応したデータベースファイルや、商品名を予めデータ化して格納しているデータベース部２４と、このデータベース部２４を制御する制御部２５とを備え、
前記クライアント端末１から通信回線３を介して店名データ、売り出し期間の日付データ、商品名データ、印刷場所データ、売価データが前記サーバ装置２へ伝送され、該サーバ装置２では前記諸データに基づいて該サーバ装置２の制御部２５により前記データベース部２４に格納されているデータベースファイルに前記印刷場所、店名、売り出し期間、商品名、売価が設定されるようにしたチラシ配布前におけるチラシ用版下のデータ処理方法において、
前記サーバ装置２には、前記各クライアント端末１の入力手段から入力された商品の仕入数量データを仕入数量集計手段により集計し、全クライアント端末１からの総仕入数量をチラシ配布前に把握するようにしていることを特徴としている。
【００１６】
請求項２に記載のチラシ用版下のデータ処理方法では、前記サーバ装置２は、前記クライアント端末１から伝送された商品の希望仕入単価を把握し、最低希望仕入単価を判定する機能を有していることを特徴としている。
【００１７】
請求項３に記載のチラシ用版下のデータ処理方法では、前記総仕入数量に集計は商品別に行なっていることを特徴としている。
【００１８】
請求項４に記載のチラシ用版下のデータ処理方法では、前記サーバ装置２は、全クライアント端末１から集計した総仕入数量と最低希望仕入単価を商品別に日付データを基準として一覧表示させるようにしていることを特徴としている。
【００１９】
請求項５に記載のチラシ用版下のデータ処理システムでは、多数のクライアント端末１とサーバ装置２とがインターネットなどの通信回線３を介して接続されており、
前記各クライアント端末１が設けられているクライアント側には、商品、売価をチラシのどの場所に印刷するかのレイアウトが予め決められていて、印刷場所指定用、店名表示用、売り出し期間用のコードが各印刷場所にそれぞれ設けられているレイアウトファイル３０と、複数種類の商品名と該商品名に対応したコードが記載されている商品コードファイル３６とが予め備えられており、
前記クライアント端末１には、前記レイアウトファイル３０の各コードデータと商品コードファイル３６のコードデータを読み取る読取手段と、前記売り出し期間や商品の売価のデータが入力される入力手段とを備え、
前記サーバ装置２には、前記レイアウトファイル３０のレイアウト、商品名、売価、店名、売り出し期間の印刷場所に対応したデータベースファイルや、商品名を予めデータ化して格納しているデータベース部２４と、このデータベース部２４を制御する制御部２５とを備え、
前記クライアント端末１から通信回線３を介して店名データ、売り出し期間の日付データ、商品名データ、印刷場所データ、売価データが前記サーバ装置２へ伝送され、該サーバ装置２では前記諸データに基づいて該サーバ装置２の制御部２５により前記データベース部２４に格納されているデータベースファイルに前記印刷場所、店名、売り出し期間、商品名、売価が設定されるようにしたチラシ配布前におけるチラシ用版下のデータ処理システムにおいて、
前記サーバ装置２には、前記各クライアント端末１の入力手段から入力された商品の仕入数量データを集計する手段を有し、該手段により全クライアント端末１からの総仕入数量をチラシ配布前に把握するようにしていることを特徴としている。
【００２０】
請求項６に記載のチラシ用版下のデータ処理システムでは、前記サーバ装置２は、前記クライアント端末１から伝送された商品の希望仕入単価を把握し、最低希望仕入単価を判定する手段を備えていることを特徴としている。
【００２１】
請求項７に記載のチラシ用版下のデータ処理システムでは、前記総仕入数量の集計は商品別に行なっていることを特徴としている。
【００２２】
請求項８に記載のチラシ用版下のデータ処理システムでは、前記サーバ装置２は、全クライアント端末１から集計した総仕入数量と最低希望仕入単価を商品別に日付データを基準として一覧表示させる手段を備えていることを特徴としている。
【００２３】
請求項９に記載のチラシ用版下のデータ処理システムを利用した入札システムでは、前記請求項５〜８のいずれかのチラシ用版下のデータ処理システムに、前記クライアント端末１を設置しているクライアントへ商品の納入を希望する多数の問屋の問屋端末７０を加え、該問屋端末７０は前記通信回線３を介して前記多数のクライアント端末１及びサーバ装置２と接続されており、
前記サーバ装置２には、前記各クライアント端末１から伝送された商品別の総仕入数量データと最低希望仕入単価データとを保存する保存手段と、前記問屋端末７０ごとに前記保存手段より読み出した総仕入数量データと最低希望仕入単価データに基づいて商品別の総仕入数量と最低希望仕入単価とを一覧表示させる手段と、前記各問屋端末７０から入力された入札価格データを保存する保存手段と、入札期限後に前記両保存手段から読み出した商品の最低希望仕入単価データと入札価格データとを比較して落札する問屋端末７０を商品別に決定する手段とを備えていることを特徴としている。
【００２４】
請求項１０に記載のチラシ用版下のデータ処理システムを利用した入札システムでは、前記サーバ装置２には、商品別に入札した各問屋端末７０からの入札価格を一覧表示させる手段を備えていることを特徴としている。
【００２５】
請求項１１に記載のチラシ用版下のデータ処理システムを利用した入札システムでは、前記サーバ装置２には、入札結果に応じて落札の成否を表示させる手段を備えていることを特徴としている。
【００２６】
請求項１２に記載のチラシ用版下のデータ処理システムを利用した入札システムでは、前記サーバ装置２には、入札の結果、落札した問屋端末７０側へ商品の配送先の一覧表を伝送する手段を備えていることを特徴としている。
【００２７】
請求項１３に記載のチラシ用版下のデータ処理システムを利用した入札システムでは、前記配送先の一覧表を伝送する手段の一つとして電子メールを用いていることを特徴としている。
【発明の効果】
【００２８】
本発明の請求項１に記載のチラシ用版下のデータ処理方法によれば、サーバ装置２で、前記各クライアント端末１の入力手段から入力された商品の仕入数量データを集計し、全クライアント端末１からの総仕入数量をチラシ配布前に把握するようにしているので、チラシが実際に配布される前の段階のチラシ用版下を作成する時点で、多数のスーパーマーケットが仕入れようとする商品別に商品の総仕入数量をサーバ装置２側で把握することができる。商品の総仕入数量を把握しているサーバ装置２の管理者が各問屋に折衝して仕入単価が最も低い問屋に商品を納入させるようにすることで、１店舗しか有しない中小のスーパーマーケットであっても、巨大スーパーと同様の仕入単価で仕入れができ、十分に利益を確保することができる。
これにより、この商品別の総仕入数量は、巨大スーパーが仕入れようとする数量に匹敵するものであり、互いに孤立した独立系の中小のスーパーマーケットであっても、商品を仕入れする際に巨大スーパーに十分に対抗することができる。
【００２９】
請求項２に記載のチラシ用版下のデータ処理方法によれば、前記サーバ装置２は、前記クライアント端末１から伝送された商品の希望仕入単価を把握し、最低希望仕入単価を判定する機能を有しているので、多数のクライアント端末１からの希望仕入単価の中で最低希望仕入単価を判定し、この判定した最低希望仕入単価でもってサーバ装置２側の管理者が商品の納入を希望する問屋側と折衝でき、すべての問屋の希望仕入単価に対して満足のいく折衝を行なうことができる。
【００３０】
請求項３に記載のチラシ用版下のデータ処理方法によれば、前記総仕入数量の集計は商品別に行なっているので、スーパーマーケットが取り扱う膨大な種類の商品のすべてを容易に把握することができる。
【００３１】
請求項４に記載のチラシ用版下のデータ処理方法によれば、前記サーバ装置２は、全クライアント端末１から集計した総仕入数量と最低希望仕入単価を商品別に日付データを基準として一覧表示させるようにしているので、サーバ装置２側の管理者は、総仕入数量と最低希望仕入単価の一覧を容易に把握することができる。
【００３２】
請求項５に記載のチラシ用版下のデータ処理システムによれば、前記サーバ装置２で、前記各クライアント端末１の入力手段から入力された商品の仕入数量データを集計する手段を有し、該手段により全クライアント端末１からの総仕入数量をチラシ配布前に把握するようにしているので、チラシが実際に配布される前の段階のチラシ用版下を作成する時点で、多数のスーパーマーケットが仕入れようとする商品別に商品の総仕入数量をサーバ装置２側で把握することができる。商品の総仕入数量を把握しているサーバ装置２の管理者が各問屋に折衝して仕入単価が最も低い問屋に商品を納入させるようにすることで、１店舗しか有しない中小のスーパーマーケットであっても、巨大スーパーと同様の仕入単価で仕入れができ、十分に利益を確保することができる。
これにより、この商品別の総仕入数量は、巨大スーパーが仕入れようとする数量に匹敵するものであり、互いに孤立した独立系の中小のスーパーマーケットであっても、商品を仕入れする際に巨大スーパーに十分に対抗することができる。
【００３３】
請求項６に記載のチラシ用版下のデータ処理システムによれば、前記サーバ装置２は、前記クライアント端末１から伝送された商品の希望仕入単価を把握し、最低希望仕入単価を判定する手段を備えているので、多数のクライアント端末１からの希望仕入単価の中で最低希望仕入単価を判定し、この判定した最低希望仕入単価でもってサーバ装置２側の管理者が商品の納入を希望する問屋側と折衝でき、すべての問屋の希望仕入単価に対して満足のいく折衝を行なうことができる。
【００３４】
請求項７に記載のチラシ用版下のデータ処理システムによれば、前記総仕入数量の集計は商品別に行なっているので、スーパーマーケットが取り扱う膨大な種類の商品のすべてを容易に把握することができる。
【００３５】
請求項８に記載のチラシ用版下のデータ処理システムによれば、前記サーバ装置２は、全クライアント端末１から集計した総仕入数量と最低希望仕入単価を商品別に日付データを基準として一覧表示させる手段を備えているので、サーバ装置２側の管理者は、総仕入数量と最低希望仕入単価の一覧を容易に把握することができる。
【００３６】
請求項９に記載のチラシ用版下のデータ処理システムを利用した入札システムによれば、前記サーバ装置２には、前記各クライアント端末１から伝送された商品別の総仕入数量データと最低希望仕入単価データとを保存する保存手段と、前記問屋端末７０ごとに前記保存手段より読み出した総仕入数量データと最低希望仕入単価データに基づいて商品別の総仕入数量と最低希望仕入単価とを一覧表示させる手段と、前記各問屋端末７０から入力された入札価格データを保存する保存手段と、入札期限後に前記両保存手段から読み出した商品の最低希望仕入単価データと入札価格データとを比較して落札する問屋端末７０を商品別に決定する手段とを備えているので、サーバ装置２側で入札期限後に多数のクライアント端末１からの最低希望仕入単価と多数の問屋端末７０からの入札価格とを比較して落札する問屋端末７０を商品別に決定することができ、商品を落札する問屋をスムーズに決定することができる。
また、問屋側では、クライアント側が仕入れようとする商品の総仕入数量が容易に分かり、例えば、問屋が在庫として持っている商品の中で賞味期限が近いものがある場合など、入札価格を少し安くすることで、賞味期限に近い商品を確実かつ大量にさばくことができ、問屋側及びクライアント側の双方に利益をもたらすものである。
【００３７】
請求項１０に記載のチラシ用版下のデータ処理システムを利用した入札システムによれば、前記サーバ装置２には、商品別に入札した各問屋端末７０からの入札価格を一覧表示させる手段を備えているので、サーバ装置２の管理者は、問屋端末７０からの入札状況を容易に把握することができる。
【００３８】
請求項１１に記載のチラシ用版下のデータ処理システムを利用した入札システムによれば、前記サーバ装置２には、入札結果に応じて落札の成否を表示させる手段を備えているので、問屋端末７０側では、落札状況に応じて今回の入札価格を次回の入札の参考資料とすることができ、有益となる。
【００３９】
請求項１２に記載のチラシ用版下のデータ処理システムを利用した入札システムによれば、前記サーバ装置２には、入札の結果、落札した問屋端末７０側へ商品の配送先の一覧表を伝送する手段を備えているので、商品を落札した問屋端末７０の問屋側は、配送先の一覧表によりスムーズに配送準備を行なうことができる。
【００４０】
請求項１３に記載のチラシ用版下のデータ処理システムを利用した入札システムによれば、前記配送先の一覧表を伝送する手段の一つとして電子メールを用いているので、入札結果が決まり次第、問屋端末７０からサーバ装置２へアクセスすることなく、落札が判明し、配送先の一覧表によりスムーズに配送準備を行なうことができる。
【発明を実施するための最良の形態】
【００４１】
以下、本発明の実施の形態を図面を参照して詳細に説明する。本発明は、同じ発明者の特許文献１に記載の技術が前提となっているので、本発明を説明する前に特許文献１を説明する必要がある。そこで、先ず、本発明の前提部分の特許文献１について図１〜図７により説明する。また、本発明では特許文献１に記載されているチラシ用版下の作成の技術事項に関して、種々改良しているので、特許文献１と全く同じではないが、基本的な技術事項は同じである。なお、より詳細な技術事項は特許文献１に記載されている。
【００４２】
図１はクライアント端末１とサーバ装置２との概略システムブロック図を示し、チラシを発注するスーパーマーケット側に設置されているクライアント端末１と、このクライアント端末１から受注してチラシを製作する印刷会社側に設置されているサーバ装置２と、クライアント端末１とサーバ装置２間でデータ等の伝送を行なうために手段としての通信回線３とで主に構成されている。
なお、通信回線３は、電話回線、専用回線、インターネットである。
【００４３】
コンピュータで構成されるクライアント端末１は、印刷会社側のサーバ装置２から伝送されてきたチラシ原稿等を表示する表示部１１と、カラープリンタ等からなる出力部１２と、キーボードやマウスからなる入力部１３と、後述するバーコードを読み取るバーコードリーダー１４と、プログラムを格納しておく記憶部１５と、全体の制御を司る制御部１６とで構成されている。
【００４４】
また、印刷会社側のサーバ装置２はホストコンピュータとしての機能を備えており、チラシ原稿を画面上に表示させる表示部２１と、キーボードマウスやマウスからなる入力部２２と、カラープリンタ等からなる出力部２３と、商品名を予めデータ化して格納し、また、後述する種々のデータベースファイルを予め格納しているデータベース部２４と、全体の制御を司る制御部２５等で構成されている。なお、上記データベース部２４は、制御用プログラムをも予め格納されている。
【００４５】
図５は、スーパーマーケット側に予め保管させておくチラシのレイアウトファイル３０の一例を示し、このレイアウトファイル３０はプリントアウトしたものである。クライアントであるスーパーマーケットが配布するチラシの構成は、大体同じようなパターンが多く、セールス期間の日付と、挿入する商品、売価等が異なるだけである。
また、印刷会社側で当該スーパーマーケットが配布するチラシの他のレイアウトを複数予め用意しておき、複数種類のパターンのレイアウトを構成したレイアウトファイル３０からなる図２に示すようなレイアウト集をスーパーマーケット側に保管させておく。
【００４６】
チラシ作成の特徴として、バーコードを読み取って店名、日付、商品、売価等を取得し、それを印刷会社側のサーバ装置２に反映させている点である。したがって、各種データに対応させたバーコードを図５に示すように、レイアウトファイル３０に印字しておき、任意の場所に任意の商品を印刷できるようにしている。
図５の例では、レイアウトファイル３０の右上に、当該スーパーマーケットの店名コードを入力する店名コード入力部３１を設け、また、左上にはセールス期間を入力する日付コード入力部３２を設けている。さらに、レイアウトファイル３０には、商品を印刷する場所を予め決めておき、その商品の場所を認識させるための場所コード入力部３３が複数設けられている。
【００４７】
上記場所コード入力部３３には、商品名と売価とが印刷されるようになっており、商品写真をも同時に印刷する場合には、写真配置部３４を備えた場所コード入力部３５も複数設けている。図５の例では、四角枠の中に「写真」と記載しているのが写真配置部３４を示し、この写真配置部３４に近接して略円形部分が場所コード入力部３５である。
商品写真を印刷する写真配置部３４とセットした場所コード入力部３５と、商品写真を印刷せずに商品名と売価を印刷する場所コード入力部３３は、任意の位置に設けても良い。図５に示すのは一例である。なお、図４に一部を拡大したのを示す。
【００４８】
また、スーパーマーケット側には、上記レイアウトファイル３０を複数種類からなるレイアウト集（図２参照）の他に、図３に示すような商品コードファイル３６も同時に保管させるようにしている。この商品コードファイル３６には、当該スーパーマーケットが販売する商品の名称と、その商品に対応したバーコードを記載したものであり、図３の例では、にんじん、だいこん、ほうれん草、しいたけ、はくさい、じゃがいもである。そして、その商品名の横にバーコードを記載している。
【００４９】
一方、印刷会社側のサーバ装置２には、図５に対応したデータベースファイルを持っており、図６にこのデータベースファイルを示す。図５に示すレイアウトファイル３０と、データベース部２４内に格納している図６に示すデータベースファイルとは対応しており、実際に商品名や売価等の文字や数字が入力される前は、該当するデータベースファイルの場所は、ゼロ表示されている。
ここで、データベースファイルには、商品名と売価等の文字や数字の大きさは予め決めておき、指定された場所コードの次に入力された文字や数字は所定の大きさに決定されることになる。また、カラー表示を行なう場合には、文字や数字の大きさと一緒に色の属性も予め決めておく。例えば、売価は赤色とかである。
【００５０】
チラシの版下は、例えば、図７に示すようなものであり、これら図６に示すデータベースファイルや、図７に示す印刷例をプリントアウトしたものをファイルとして、レイアウトファイル３０とともにスーパーマーケット側に渡しておくことで、スーパーマーケット側はクライアント端末１でチラシの原稿を作成する場合に、どのようなレイアウトのチラシが作成されるのかが容易に把握することができる。
【００５１】
次に、クライアント端末１とサーバ装置２とでチラシの版下を作成する場合の動作について説明する。まず、図２に示すレイアウト集から任意のレイアウトファイル３０を選択する。そして、クライアント端末１のバーコードリーダー１４により、店名コード入力部３１で店名コードを読み取る。なお、店名コード入力部３１では、どのレイアウトファイル３０を選択したかを同時に読み取るようにしている。
次に、上記と同様に日付コード入力部３２をバーコードを読み取ると共に、セールス期間（例えば、３月２日〜３月４日）をキーボードから入力する。次に、場所コードを入力するが、この時、チラシのどの場所に何の商品を入れるかを決定する。
【００５２】
例えば、図５に示すレイアウトファイル３０の左上部の場所コード入力部３５を指定してその場所コードをバーコードリーダー１４にて読み取ると、その位置が決定され、次に、その場所に印刷する商品（例えば、にんじん）に対応した商品コードを入力する。例えば、図３に示す商品コードファイル３６から、にんじんの横に記載されているバーコードを読み取る。すると、この場所コード入力部３５は、写真配置部３４とセットとなっているので、自動的に「にんじんの写真」が入るようになっている。
【００５３】
次に、そのにんじんの売価をキーボードのテンキーから直接入力する。これにより、チラシの左上部には、にんじんの写真、名称、売価が設定されることになる。上記のように、場所コード入力部３３、３５のバーコードを読み取り、その場所に入れる商品コード、売価をそれぞれ入力することで、スーパーマーケット側のクライアント端末１でチラシの原稿ができることになる。この結果を通信回線３を介して印刷会社側のサーバ装置２へ伝送する。
【００５４】
次に、印刷会社側のサーバ装置２の動作について説明する。スーパーマーケット側のクライアント端末１から通信回線３を介して印刷会社側のサーバ装置２が原稿のデータを受信すると、受信したデータから先ずどのデータベースファイルを用いるのかを判断して、スーパーマーケット側が用いたレイアウトファイル３０に対応した図６に示すようなデータベースファイルをデータベース部２４から取り出す。
次に、指定された場所コードに商品写真が付随しているかどうかを判断し、商品写真がセットされていない場合には指定された場所に、バーコードで指定された商品名、売価を当該指定場所に設定する。
【００５５】
指定された場所に商品写真を印刷する場合には、指定された場所に指定された商品の写真、商品名、売価等を設定する。ここで、商品写真、商品名等は、データベース部２４内で予めセットして格納しておき、商品写真がセットされている場所コードの場合には、そのデータをそのまま取り出して、その場所に売価とともに設定するが、商品写真がセットされておらず、商品名だけの場合では、データベース部２４からは商品名だけを取り出して、その場所に売価とともに設定するようにしている。
【００５６】
このようにして、印刷会社側のサーバ装置２では、スーパーマーケット側が選択したレイアウトファイル３０に対応したデータベースファイルを取り出し、クライアント端末１にて設定された場所コード、及びこれに付随する商品名、売価等は、場所コードに付随しているデータからデータベースファイルにそれぞれ設定されることで、チラシ用版下が作成され、これを登録する。
次に、上記のようにして作成されたチラシ用版下は、スーパーマーケット側はクライアント端末１の表示部１１の画面上で確認する。なお、クライアント端末１からチラシの原稿をサーバ装置２へ伝送した時点で、サーバ装置２では上記の処理が瞬時に行なわれるので、クライアント端末１から原稿のデータを伝送すると、該クライアント端末１の表示部１１ですぐにチラシの版下を画面上で確認することができる。また、画面ではカラー表示されているので、色の確認もすぐに行なうことができる。
【００５７】
このようにして、チラシ用版下が完成すると、版下のデータベースファイルをプレートセッターに出力し、チラシの印刷に取りかかる。印刷後は、新聞配達所に配送する。
【００５８】
ここで、クライアント端末１では、商品コードや売価をすべて入力してからサーバ装置２へ伝送し、その結果をクライアント端末１側で表示するようにしている。しかし、商品コード、売価を入力するごとにクライアント端末１からサーバ装置２へ伝送し、サーバ装置２側ではこれをデータベースファイルの指定された場所に商品名、売価を設定し、これをクライアント端末１へ伝送して指定場所、商品名、売価をクライアント端末１側でその都度表示させるリアルタイム式で行なうようにしても良い。
【００５９】
かかるチラシ用版下の作成方法により、チラシの受注から新聞配達所までの日数を約２〜３日間にでき、納入を非常に短縮することができる。また、チラシのどの場所に、何の商品を、いくらの値段でするかは、クライアント端末１のスーパーマーケット側が設定、入力するので、印刷会社側での間違いが皆無となり、また、商品と売価、場所の位置決めの調整がなくなり、そのため、チラシのコストを非常に安くすることができる。
【００６０】
以上の内容が上記特許文献１に記載されているチラシ用版下の基本的な技術事項であり、このデータ処理方法ないしデータ処理システムを前提とした本発明について以下に詳述する。
【００６１】
図８は本発明の全体のシステムブロック図を示し、印刷会社側のサーバ装置２を中心として、通信回線３（以下インターネット３という。）を介して多数のスーパーマーケット側のクライアント端末１・・・と、スーパーマーケットへ商品を落札して納入しようとする多数の問屋側の問屋端末７０・・・が接続されている。
【００６２】
ここで、本発明では、商品の共同仕入という観点からスーパーマーケット側、つまりクライアント端末１が多数を前提としている。また、巨大スーパーと対抗して商品を安く仕入れるために入札を行なうということから問屋側、つまり問屋端末７０も多数を前提としている。
また、スーパーマーケットの店舗数は、印刷会社が請け負っている数として実際には１００店舗以上であり、そのため、商品の総仕入数量が膨大となることと、入札競争をして商品を安価に仕入れることから、問屋は多ければ多いほど良い。また、スーパーマーケットで扱う商品の種類は何千アイテムもあり、このアイテム数に対応できる大きさの問屋はもちろん、少ないアイテムの商品を扱っている問屋の場合でも良い。
【００６３】
スーパーマーケット側のクライアント端末１のコンピュータのハード構成は基本的には図１の場合と同様であり、クライアント端末１にインストールされるソフトウエアが若干異なる（機能の追加）だけである。また、印刷会社側のサーバ装置２のコンピュータのハード構成も基本的には図１の場合と同様であり、クライアント端末１の場合と同様にインストールされるソフトウエアが若干異なる（機能の追加）だけである。
問屋側の問屋端末７０のコンピュータは、現在ではＷｅｂブラウザ機能や、電子メール機能はどのようなパソコンでも付随しているので、市販の一般的なパソコンで十分である。また、問屋端末７０はサーバ装置２やクライアント端末１とは異なり専用のソフトウエアは不要であり、一般の市販のパソコンで使用可能である。
【００６４】
図９は印刷会社側のサーバ装置２の主要な制御部２５とデータベース部２４とのブロック図を示している。この制御部２５は、上述した処理にてクライアント端末１からのデータを受けてチラシ用版下を作成するためのチラシ版下作成部４０と、商品別仕入数量集計部４１と、商品別仕入単価最低価格判定部４２と、商品別仕入単価決定部４３と、入札期限設定部４４と、サーバ装置側一覧表作成部４５と、電子メールの本文作成や電子メールの送受信機能を備えているメールサーバ機能部４６と、商品別入札価格集計部４７と、商品別入札価格判定部４８と、商品別入札価格決定部４９と、商品別配送先作成部５０と、問屋端末側一覧表作成部５１と、これら各部の全体の制御を行なうＣＰＵ５２等で構成されている。なお、各部の内容、機能については後述していく。また、記憶装置としての機能を備えたデータベース部２４にて上記各部で受信した諸データや作成した表などのデータが保存されるようになっている。
【００６５】
ここで、各スーパーマーケットが問屋から共同仕入を行なう商品、つまり仕入数量を集計する商品は、製造メーカーが製造する食品で、野菜、魚肉などの鮮度が非常に要求される食品は扱わない。しかし、物流のスピードなどの関係でこれらの野菜、魚肉などを扱うようにしても良い。
【００６６】
図１０は、あるスーパーマーケット側のクライアント端末１のフローチャートを示し、図１０を参照してクライアント端末１の動作を説明する。ステップＳ１からステップＳ６までは上述した動作を同じであり、ステップＳ１に示すように、クライアント端末１側でクライアントが任意のレイアウトファイル３０を選択し、バーコードリーダー１４にてレイアウトファイル３０から店名コードを入力する。
次に、ステップＳ２及びステップＳ３に示すように、バーコードリーダー１４にて店名コード、日付コードを読み取り、さらに、場所コードを読み取る（ステップＳ４参照）。次いでステップＳ５及びステップＳ６に示すように、商品コードを読み取り、さらに売価をキーボードから入力する。以上の操作は今までと同様の操作である。
【００６７】
次に、ステップＳ７において、今入力した商品の仕入数量を入力しない場合にはステップＳ１０に移行する。商品の仕入数量を入力する場合にはステップＳ８に移行してクライアント端末１の入力部１３のキーボードから該商品の仕入数量を入力する。
商品の仕入数量を入力した後は、ステップＳ９に示すように、該商品の希望仕入単価をキーボードから入力する。ここで、希望仕入単価とは、その業界で使用されている単価であり、１個の場合、半ダース、１ダース、１箱の場合などが該当する。
【００６８】
商品の希望仕入単価を入力した後、ステップＳ１０に進んで、次に商品コードを入力する場合はステップＳ４に戻って上記の操作を繰り返す。この操作はチラシに掲載する商品をすべて設定するまで行ない、チラシの原稿を作成し終わった後はステップＳ１１に移行し、サーバ装置２からインターネット３を介して伝送されてきたデータベースファイル（チラシ用版下）の画面表示を見て、その内容で良ければ確認ボタン（図示せず）をクリックすることで、チラシ原稿の作成が終了する。
【００６９】
ここで、図１１はマヨネーズに関連した商品コードファイル３６を示し、マヨネーズの製造メーカー、４００ｇ、１ｋｇといった容量がそれぞれ記載されており、例えば、○○○社のマヨネーズで、容量が１ｋｇの場合は、上から２つめのバーコードをバーコードリーダー１４にて読み取る。
また、図１２はソースに商品コードファイル３６を示し、ソースは、「ウスターソース」と「とんかつソース」とがあり、それぞれの商品別に対応させてバーコードを横に記載している。例えば、△△△社の「とんかつソース」で、容量が５００ｇの場合には、一番下のバーコードをバーコードリーダー１４にて読み取る。
【００７０】
図１３は、例えば、Ａスーパーが上記の操作でチラシの原稿を作成した場合における仕入れる商品の一例を示し、売り出し日が「３月１日」で、それぞれの商品の商品データ（商品名、会社名、容量）、仕入数量、希望仕入単価（価格）が入力されている。
図１４は、同様にＢスーパーがチラシの原稿を作成した場合における仕入れる商品の一例である。このＢスーパーは、店舗数が１つで比較的小さなスーパーマーケットとし、Ａスーパーは、店舗数が複数あり、Ｂスーパーと比べて規模が比較的大きなスーパーマーケットの場合である。
【００７１】
したがって、ＢスーパーはＡスーパーと比べて全商品の仕入数量は少なく、また、希望仕入単価も仕入数量の関係から高くなっている。スーパーマーケット単独で商品を仕入れしようとすると、仕入数量の関係からＢスーパーは、Ａスーパーと比べて高い価格で問屋から仕入れざるを得ないのが現状である。しかし、本発明では、Ａスーパー、Ｂスーパー、Ｃスーパー・・・等が多数のスーパーマーケットが共同仕入をすることで、仕入単価を安くできるようにしている。
【００７２】
図１５はサーバ装置２側のフローチャートを示し、ステップＳ２６〜ステップＳ２８を除いては特許文献１に記載されている制御と同じである。また、サーバ装置２側ではクライアント端末１からデータを受信するたびに、データベース部２４から取り出したレイアウトファイル３０に対応するデータベースファイルに場所、商品名、売価等を設定するようにしている。なお、図１５においては、説明の便宜上、写真配置に関しては省略している。
【００７３】
図１５において、クライアント端末１から受信したデータから対応するデータベースファイルをデータベース部２４から取り出し（ステップＳ２１参照）、続いて伝送されてくる店名コードデータ、日付コードデータを取り込む（ステップＳ２２参照）。これらのデータを取り込むたびに図９に示すチラシ版下作成部４０によりデータベースファイルに店名、日付けが設定される（ステップＳ４１参照）。
続いて、サーバ装置２は、クライアント端末１から伝送されてきた場所コード（ステップＳ２３参照）、商品名、会社名、容量等の商品データ（ステップＳ２４参照）及び売価データを取り込み（ステップＳ２５参照）。これらのデータを取り込むと同時に、チラシ版下作成部４０によりデータベースファイルに場所、商品名、売価が決定ないし設定される（ステップＳ４２〜ステップＳ４４参照）。
【００７４】
次に、図１５のステップＳ２６に示すように、売価データの次に仕入数量データが伝送されてきた場合には、ステップＳ２７に移行して仕入数量データを取り込む。次に、ステップＳ２８に示すように、希望仕入単価データを取り込み、ステップＳ２９に進む。ステップＳ２９では、次のデータが場所データであれば、ステップＳ２３に戻ってこれらの制御動作（データの取り込み動作）が繰り返される。なお、上記の商品別の仕入数量データや希望仕入単価データはデータベースファイル（チラシ作成）には反映されないものであり、かかる仕入数量データ、希望仕入単価データはデータベース部２４に一時保存される。
ステップＳ２９において、次のデータが確認ボタンからの信号であれば（ステップＳ３０参照）、チラシ用版下が完成し、データベースファイルを登録し、データベース部２４に保存する。
【００７５】
このようにして、多数のスーパーマーケットのクライアント端末１からチラシ用版下の原稿を作成する作業において、共同仕入を行なう商品が、商品別に総数量、希望仕入単価がサーバ装置２に集計される。図１６はかかる場合の機能図を示しており、各スーパーマーケットのクライアント端末１からサーバ装置２へ商品別の商品データ、仕入数量、希望仕入単価のデータが伝送され、サーバ装置２において、これらのデータを集計する。
【００７６】
図９において、商品別仕入数量集計部４１では、各スーパーマーケットからの商品別の仕入数量をセールス期間の日付データを基準にして商品別に仕入の総数量を集計する。また、商品別仕入単価最低価格判定部４２では、各スーパーマーケットから伝送されてくる希望仕入単価を日付データを基準にして商品別に集計し、どのスーパーマーケットからの希望仕入単価が最低かを判定する。
すべてのスーパーマーケットからのデータが伝送されてきた時点で、商品別仕入単価決定部４３では、商品別仕入単価最低価格判定部４２からの最低希望仕入単価データを取り込んで商品別の最低希望仕入単価を決定する。なお、チラシ用版下を作成する際に、セールス期間に対応した日付時刻を予め設定しておくことで、上記の最低希望仕入単価を決定するようにしている。
【００７７】
このようにサーバ装置２側において、クライアント端末１から伝送された商品の希望仕入単価を把握し、最低希望仕入単価を判定する機能を有しているので、多数のクライアント端末１からの希望仕入単価の中で最低希望仕入単価を判定し、この判定した最低希望仕入単価でもってサーバ装置２側の管理者が商品の納入を希望する問屋側と折衝でき、すべての問屋の希望仕入単価に対して満足のいく折衝を行なうことができる。
また、総仕入数量の集計は商品別に行なっているので、スーパーマーケットが取り扱う膨大な種類の商品のすべてを容易に把握することができる。
【００７８】
図１７は、サーバ装置２のサーバ装置側一覧表作成部４５にて作成した日付を基準とした商品別の総仕入数量と最低希望仕入単価（価格）の一覧表であり、この一覧表はサーバ装置２の表示部２１にて画面表示される。
特に、サーバ装置２において、全クライアント端末１から集計した総仕入数量と最低希望仕入単価を商品別に日付データを基準としてサーバ装置側一覧表作成部４５にて一覧表示させるようにしているので、サーバ装置２側の管理者は、総仕入数量と最低希望仕入単価の一覧を容易に把握することができる。
【００７９】
また、図１８は問屋の問屋端末７０からサーバ装置２をアクセスして問屋端末７０の画面にＷｅｂブラウザ形式にて表示される一覧表を示している。この問屋端末７０側で表示される一覧表は、図１７に示すサーバ装置２側で表示される一覧表とほぼ同様であるが、問屋端末７０側には、入札期限、入札価格、入札結果、配送先の欄が追加して表示されている。なお、この図１８に示す一覧表は、図９に示す制御部２５の問屋端末側一覧表作成部５１にて作成される。
【００８０】
図１９は問屋端末７０側の制御動作のフローチャートを示し、ステップＳ５１に示すように、問屋端末７０のＷｅｂブラウザを起動し、インターネット３を介してサーバ装置２へアクセスする（ステップＳ５２参照）。次に、ステップＳ５３に示すように、問屋端末７０の画面に表示されるログイン画面から予め設定されている問屋端末７０のアカウント、パスワードを入力し、次いで、日付を入力すると、日付に対応した商品別の総仕入数量、入札期限が挿入された図１８に示す一覧表が表示される（ステップＳ５５参照）。
【００８１】
なお、上記の入札期限は、図９に示す入札期限設定部４４にて設定されるものであり、例えば、日付（例えば、３月１日）から２日、あるいは３日前に自動的に設定するようにしても良く、あるいは、サーバ装置２側のオペレータがキーボードから手入力にて設定するようにしても良い。
【００８２】
次に、ステップＳ５６に進んで、問屋端末７０から各商品の入札価格をその欄の部分に入力する。図２０は係るＡ問屋の場合の入札価格を挿入した後の一覧表を示している。なお、問屋端末７０側の表示画面には、図１８に示すように、日付、商品データ、総仕入数量、入札期限しか表示されず、詳細なスーパーマーケット名は表示されないようになっている。
図１６はかかる場合の機能図を示しており、各問屋の問屋端末７０サーバ装置２へ商品別の入札価格が伝送され、サーバ装置２において、これらの入札価格データが一覧表に挿入されたり、集計される。また、データベース部２４内ではこれらの入札価格データが保存される。
【００８３】
各問屋の問屋端末７０からは上記のようにサーバ装置２へアクセスして一覧表から入札価格を入力していくものであり、かかる各問屋端末７０からの入札価格は図９に示すサーバ装置２の商品別入札価格集計部４７にて集計される。また、商品別入札価格判定部４８にて、どの問屋端末７０からの入札価格が低いかを常時判定しており、入札期限が経過した後に、商品別入札価格決定部４９にて最も安い入札価格を入力した問屋端末７０を商品別に決定を行なう。
また、入札の結果、入札した問屋端末７０に対して商品別の配送先の一覧表を商品別配送先作成部５０が作成し、この作成した一覧表を問屋端末７０がサーバ装置２へアクセスして画面にて見ることができる。なお、問屋端末側一覧表作成部５１は、問屋端末７０側に表示される図１８、図２０に示すような一覧表を作成する機能を有しているものである。
【００８４】
図２１は、図９に示すサーバ装置２のサーバ装置側一覧表作成部４５にて作成された一覧表を示し、各問屋端末７０からの商品別の入札状況の状態を画面表示しており、各問屋端末７０の入札価格を表示させて入札価格の状況が容易にリアルタイムで把握できるようになっている。これにより、サーバ装置２の管理者は、問屋端末７０からの入札状況を容易に把握することができる。
また、この図２１に示す一覧表の右側には、入札されたか否かの入札の成否を示す欄と、商品別にどの問屋端末７０（問屋）が入札したかを示す欄とが設けられている。
【００８５】
入札期限が経過すると、サーバ装置２の商品別入札価格決定部４９にて商品別に入札の成否を決定し、その結果を図２１に示すように「入札の成否」の欄の箇所に落札された場合には○印が表示され、同時にどの問屋端末７０が落札したかを「問屋名」の欄の箇所に表示される。なお、最低希望仕入単価より高い価格で入札が応募された場合には、入札が成立しなかったとして、「入札の成否」の欄に×印が表示されることになる。これにより、問屋端末７０側では、落札状況に応じて今回の入札価格を次回の入札の参考資料とすることができ、有益となる。
【００８６】
また、図１９にステップＳ５７に示すように、各問屋端末７０は入札期限経過後にサーバ装置２へアクセスして入札結果を見る。図２２は、例えばＡ問屋の問屋端末７０に画面表示されている一覧表を示し、自己が入札した結果、成立した商品に「入札結果」の欄に○印が表示され（ステップＳ５８参照）、これにより、自己がどの商品を入札して落札したかを容易に把握することができる。
また、○印が表示されている右方の「配送先」の欄にはボタン７１が表示が表示されており、このボタン７１をクリックすると（ステップＳ５９参照）、図２３に示すように、ある商品（図２３ではマヨネーズ）の配送先の一覧表が画面が切り替わって表示される（ステップＳ６０参照）。
【００８７】
図２３に示す商品別の配送先の一覧表はサーバ装置２の商品別配送先作成部５０にて作成され、各スーパーマーケット名と数量とが表示される。これを問屋端末７０側でダウンロードをしてプリントアウトし（ステップＳ６１参照）、商品を各スーパーマーケットに配送する（ステップＳ６２参照）。これにより、商品を落札した問屋端末７０の問屋側は、配送先の一覧表によりスムーズに配送準備を行なうことができる。
【００８８】
なお、入札結果は、サーバ装置２のメールサーバ機能部４６により落札した問屋端末７０へ直接にメールを送り、配送先一覧表は添付ファイルで送るようにしても良い。かかる場合には、入札結果が決まり次第、問屋端末７０からサーバ装置２へアクセスすることなく、落札が判明し、配送先の一覧表によりスムーズに配送準備を行なうことができる。
【００８９】
このように本実施形態では、チラシが実際に配布される前の段階のチラシ用版下を作成する時点で、多数のスーパーマーケットが仕入れようとする商品別に商品の総仕入数量をサーバ装置２側で把握することができる。商品の総仕入数量を把握しているサーバ装置２の管理者が各問屋に折衝して仕入単価が最も低い問屋に商品を納入させるようにすることで、１店舗しか有しない中小のスーパーマーケットであっても、巨大スーパーと同様の仕入単価で仕入れができ、十分に利益を確保することができる。
これにより、この商品別の総仕入数量は、巨大スーパーが仕入れようとする数量に匹敵するものであり、互いに孤立した独立系の中小のスーパーマーケットであっても、商品を仕入れする際に巨大スーパーに十分に対抗することができる。  
【００９０】
また、本発明の入札システムにおいては、入札期限後にクライアント端末１からの最低希望仕入単価データと問屋端末７０からの入札価格データとを比較して落札する問屋端末７０を商品別に決定しているので、サーバ装置２側で入札期限後に多数のクライアント端末１からの最低希望仕入単価と多数の問屋端末７０からの入札価格とを比較して落札する問屋端末７０を商品別に決定することができ、商品を落札する問屋をスムーズに決定することができる。
また、問屋側では、クライアント側が仕入れようとする商品の総仕入数量が容易に分かり、例えば、問屋が在庫として持っている商品の中で賞味期限が近いものがある場合など、入札価格を少し安くすることで、賞味期限に近い商品を確実かつ大量にさばくことができ、問屋側及びクライアント側の双方に利益をもたらすものである。
【図面の簡単な説明】
【００９１】
【図１】本発明の前提となるチラシ用版下のデータ処理システムのブロック図である。
【図２】本発明の前提となるレイアウトファイルを示すレイアウト集の図である。
【図３】本発明の前提となる商品コードファイルの図である。
【図４】本発明の前提となるレイアウトファイルの要部拡大図である。
【図５】本発明の前提となるレイアウトファイルの図である。
【図６】本発明の前提となるデータベースファイルの図である。
【図７】本発明の前提となるデータベースファイルにデータを設定した作成したチラシ用版下の図である。
【図８】本発明の実施の形態における全体の概略システムブロック図である。
【図９】本発明の実施の形態におけるサーバ装置の制御部のブロック図である。
【図１０】本発明の実施の形態におけるクライアント端末における動作のフローチャートである。
【図１１】本発明の実施の形態における商品コードファイルを示す図である。
【図１２】本発明の実施の形態における商品コードファイルを示す図である。
【図１３】本発明の実施の形態におけるＡスーパーが入力した商品データや仕入数量を示した表である。
【図１４】本発明の実施の形態におけるＢスーパーが入力した商品データや仕入数量を示した表である。
【図１５】本発明の実施の形態におけるサーバ装置側の制御動作を示すフローチャートである。
【図１６】本発明の実施の形態におけるクライアント端末、問屋端末及びサーバ装置間でのデータの授受を示す機能図である。
【図１７】本発明の実施の形態におけるサーバ装置で集計した共同仕入商品の一覧表を示す図である。
【図１８】本発明の実施の形態における問屋端末で画面表示される一覧表を示す図である。
【図１９】本発明の実施の形態における問屋端末側の制御動作を示す図である。
【図２０】本発明の実施の形態におけるＡ問屋の問屋端末で画面表示される一覧表を示す図である。
【図２１】本発明の実施の形態におけるサーバ装置で画面表示される一覧表を示す図である。
【図２２】本発明の実施の形態におけるＡ問屋の問屋端末で入札結果の一覧表を示す図である。
【図２３】本発明の実施の形態における落札した商品の配送先の一覧表を示す図である。
【符号の説明】
【００９２】
１  クライアント端末
２  サーバ装置
３  通信回線
２４  データベース部
２５  制御部
３０  レイアウトファイル
３６  商品コードファイル
４０  チラシ版下作成部
４１  商品別仕入数量集計部
４２  商品別仕入単価最低価格判定部
４３  商品別仕入単価決定部
４４  入札期限設定部
４５  サーバ装置側一覧表作成部
４６  メールサーバ機能部
４７  商品別入札価格集計部
４８  商品別入札価格判定部
４９  商品別入札価格決定部
５０  商品別配送先作成部
５１  問屋端末側一覧表作成部
５２  ＣＰＵ
７０  問屋端末
【図１】
2007323097.tif 000003
【図２】
2007323097.tif 000004
【図３】
2007323097.tif 000005
【図４】
2007323097.tif 000006
【図５】
2007323097.tif 000007
【図６】
2007323097.tif 000008
【図７】
2007323097.tif 000009
【図８】
2007323097.tif 000010
【図９】
2007323097.tif 000011
【図１０】
2007323097.tif 000012
【図１１】
2007323097.tif 000013
【図１２】
2007323097.tif 000014
【図１３】
2007323097.tif 000015
【図１４】
2007323097.tif 000016
【図１５】
2007323097.tif 000017
【図１６】
2007323097.tif 000018
【図１７】
2007323097.tif 000019
【図１８】
2007323097.tif 000020
【図１９】
2007323097.tif 000021
【図２０】
2007323097.tif 000022
【図２１】
2007323097.tif 000023
【図２２】
2007323097.tif 000024
【図２３】
2007323097.tif 000025
【手続補正書】
【提出日】平成17年4月21日(2005.4.21)
【手続補正１】
【補正対象書類名】特許請求の範囲
【補正対象項目名】全文
【補正方法】変更
【補正の内容】
【特許請求の範囲】
【請求項１】
チラシを発注する多数のスーパーマーケット側に設置されているクライアント端末（１）と、このクライアント端末（１）から受注したチラシを製作する印刷会社側に設置されているサーバ装置（２）とがインターネットなどの通信回線（３）を介して接続されており、
前記各クライアント端末（１）が設けられているスーパーマーケット側には、商品、売価をチラシのどの場所に印刷するかのレイアウトが予め決められていて、印刷場所指定用、店名表示用、売り出し期間用のコードが各印刷場所にそれぞれ設けられているレイアウトファイル（３０）と、複数種類の商品名と該商品名に対応したコードが記載されている商品コードファイル（３６）とが予め備えられており、
前記クライアント端末（１）には、前記レイアウトファイル（３０）の各コードデータと商品コードファイル（３６）のコードデータを読み取る読取手段と、前記売り出し期間や商品の売価のデータが入力される入力手段とを備え、
前記サーバ装置（２）には、前記レイアウトファイル（３０）のレイアウト、商品名、売価、店名、売り出し期間の印刷場所に対応したデータベースファイルや、商品名を予めデータ化して格納しているデータベース部（２４）と、このデータベース部（２４）を制御する制御部（２５）とを備え、
前記クライアント端末（１）から通信回線（３）を介して順次伝送されてくる店名データ、売り出し期間の日付データ、商品名データ、印刷場所データ、売価データを前記サーバ装置（２）が順次取り込んでいき、該サーバ装置（２）では前記取り込んだ諸データに基づいて該サーバ装置（２）の制御部（２５）により前記データベース部（２４）に格納されているデータベースファイルに前記印刷場所、店名、売り出し期間、商品名、売価が設定されるようにしたチラシ配布前におけるチラシ用版下の作成におけるデータ処理過程において、
前記サーバ装置（２）側では前記商品の売価データの次に伝送されてきた商品の仕入数量データを前記日付データと共に保存し、前記各スーパーマーケットのクライアント端末（１）から伝送された商品の仕入数量データを仕入数量集計手段により日付データを基準にして集計し、全クライアント端末（１）からの総仕入数量をチラシ配布前に把握するようにしていることを特徴とするチラシ用版下の作成過程におけるデータ処理方法。
【請求項２】
前記サーバ装置（２）は、前記クライアント端末（１）から伝送された商品の希望仕入単価を把握し、最低希望仕入単価を判定する機能を有していることを特徴とする請求項１に記載のチラシ用版下の作成過程におけるデータ処理方法。
【請求項３】
前記総仕入数量の集計は商品別に行なっていることを特徴とする請求項１に記載のチラシ用版下の作成過程におけるデータ処理方法。
【請求項４】
前記サーバ装置（２）は、全クライアント端末（１）から集計した総仕入数量と最低希望仕入単価を商品別に日付データを基準として一覧表示させるようにしていることを特徴とする請求項２または請求項３に記載のチラシ用版下の作成過程におけるデータ処理方法。
【請求項５】
チラシを発注する多数のスーパーマーケット側に設置されているクライアント端末（１）と、このクライアント端末（１）から受注したチラシを製作する印刷会社側に設置されているサーバ装置（２）とがインターネットなどの通信回線（３）を介して接続されており、
前記各クライアント端末（１）が設けられているスーパーマーケット側には、商品、売価をチラシのどの場所に印刷するかのレイアウトが予め決められていて、印刷場所指定用、店名表示用、売り出し期間用のコードが各印刷場所にそれぞれ設けられているレイアウトファイル（３０）と、複数種類の商品名と該商品名に対応したコードが記載されている商品コードファイル（３６）とが予め備えられており、
前記クライアント端末（１）には、前記レイアウトファイル（３０）の各コードデータと商品コードファイル（３６）のコードデータを読み取る読取手段と、前記売り出し期間や商品の売価のデータが入力される入力手段とを備え、
前記サーバ装置（２）には、前記レイアウトファイル（３０）のレイアウト、商品名、売価、店名、売り出し期間の印刷場所に対応したデータベースファイルや、商品名を予めデータ化して格納しているデータベース部（２４）と、このデータベース部（２４）を制御する制御部（２５）とを備え、
前記クライアント端末（１）から通信回線（３）を介して順次伝送されてくる店名データ、売り出し期間の日付データ、商品名データ、印刷場所データ、売価データを前記サーバ装置（２）が順次取り込んでいき、該サーバ装置（２）では前記取り込んだ諸データに基づいて該サーバ装置（２）の制御部（２５）により前記データベース部（２４）に格納されているデータベースファイルに前記印刷場所、店名、売り出し期間、商品名、売価が設定されるようにしたチラシ配布前におけるチラシ用版下の作成におけるデータ処理システムにおいて、
前記サーバ装置（２）側では前記商品の売価データの次に伝送されてきた商品の仕入数量データを前記日付データと共に保存する手段と、前記各スーパーマーケットのクライアント端末（１）から伝送された商品の仕入数量データを日付データを基準にして集計する手段とを有し、
全クライアント端末（１）からの総仕入数量をチラシ配布前に把握するようにしていることを特徴とするチラシ用版下の作成におけるデータ処理システム。
【請求項６】
前記サーバ装置（２）は、前記クライアント端末（１）から伝送された商品の希望仕入単価を把握し、最低希望仕入単価を判定する手段を備えていることを特徴とする請求項５に記載のチラシ用版下の作成におけるデータ処理システム。
【請求項７】
前記総仕入数量の集計は商品別に行なっていることを特徴とする請求項５に記載のチラシ用版下の作成におけるデータ処理システム。
【請求項８】
前記サーバ装置（２）は、全クライアント端末（１）から集計した総仕入数量と最低希望仕入単価を商品別に日付データを基準として一覧表示させる手段を備えていることを特徴とする請求項６または請求項７に記載のチラシ用版下の作成におけるデータ処理システム。
【請求項９】
前記請求項５〜８のいずれかのチラシ用版下の作成におけるデータ処理システムに、前記クライアント端末（１）を設置しているクライアントへ商品の納入を希望する多数の問屋の問屋端末（７０）を加え、該問屋端末（７０）は前記通信回線（３）を介して前記多数のクライアント端末（１）及びサーバ装置（２）と接続されており、
前記サーバ装置（２）には、前記各クライアント端末（１）から伝送された商品別の総仕入数量データと最低希望仕入単価データとを保存する保存手段と、前記問屋端末（７０）ごとに前記保存手段より読み出した総仕入数量データと最低希望仕入単価データに基づいて商品別の総仕入数量と最低希望仕入単価とを一覧表示させる手段と、前記各問屋端末（７０）から入力された入札価格データを保存する保存手段と、入札期限後に前記両保存手段から読み出した商品の最低希望仕入単価データと入札価格データとを比較して落札する問屋端末（７０）を商品別に決定する手段とを備えていることを特徴とするチラシ用版下の作成におけるデータ処理システムを利用した入札システム。
【請求項１０】
前記サーバ装置（２）には、商品別に入札した各問屋端末（７０）からの入札価格を一覧表示させる手段を備えていることを特徴とする請求項９に記載のチラシ用版下の作成におけるデータ処理システムを利用した入札システム。
【請求項１１】
前記サーバ装置（２）には、入札結果に応じて落札の成否を表示させる手段を備えていることを特徴とする請求項１０に記載のチラシ用版下の作成におけるデータ処理システムを利用した入札システム。
【請求項１２】
前記サーバ装置（２）には、入札の結果、落札した問屋端末（７０）側へ商品の配送先の一覧表を伝送する手段を備えていることを特徴とする請求項１１に記載のチラシ用版下の作成におけるデータ処理システムを利用した入札システム。
【請求項１３】
前記配送先の一覧表を伝送する手段の一つとして電子メールを用いていることを特徴とする請求項１２に記載のチラシ用版下の作成におけるデータ処理システムを利用した入札システム。
【手続補正２】
【補正対象書類名】明細書
【補正対象項目名】全文
【補正方法】変更
【補正の内容】
【発明の詳細な説明】
【技術分野】
【０００１】
本発明は、新聞と共に配布されるチラシのチラシ用版下を作成する際に、入力される諸データを利用したチラシ用版下の作成過程におけるデータ処理方法及びチラシ用版下の作成におけるデータ処理システム、並びにチラシ用版下の作成におけるデータ処理システムを利用した入札システムに関するものである。
【背景技術】
【０００２】
新聞と共に配布されるチラシは、コスト及び納期等にて非常に競争が激しくなってきている。スーパーマーケットなどでは、お客の取り込みを図るために、特売品をチラシに載せているのは良く見られる現象である。チラシを週に少なくとも１回、あるいは２回配布してスーパーマーケットの売り上げを高めるようにしている。
そのため、スーパーマーケット側では、チラシを何千枚、あるいは何万枚と配布するとした場合、そのコストも膨大になる。そこで、チラシを印刷する印刷会社側にコストダウンが要求されてくる。
【０００３】
このスーパーマーケット側からのコストダウンの要求に対して克服すべく、下記の特許文献１がある。
【０００４】
【特許文献１】特許第３３０８２６１号
【０００５】
この特許文献１の特許権者及び発明者は、本出願の発明者であり、この特許文献１により、チラシを作成する場合に、印刷会社側での作業において、売価の額等の間違いを皆無にしたり、また、コストを大幅に下げ、さらには納期を大幅に短縮させることに成功したものである。
【０００６】
特許文献１に記載の技術により、チラシの印刷ミスを無くしたり、納期のスピードアップ、チラシ１枚当たりのコストの削減というスーパーマーケット側及び印刷会社側の双方の利益を得るということに関しては、十分に達成することができた。
【０００７】
しかしながら、スーパーマーケット側から見ればチラシのコストだけが下がれば良いというものではなく、最も重要なものは、仕入れる商品の単価（仕入単価）である。他のスーパーマーケットが販売する商品より安く販売するか、あるいは少なくとも同じ価格（値段）で販売しなければお客が他のスーパーマーケットに流れて、店全体の売り上げ額が減少してしまうことになる。
利益を少なくして商品を販売すると、スーパーマーケット側の全体の利益も減少することになり、スーパーマーケット側にとっては経営的に非常に厳しくなる。
【０００８】
一方、全国展開を図っている巨大スーパーでは、販売する商品は一括して大量に購入するために、商品を納入する業者側がスーパー側の言いなりになっているのが現状である。そのため、巨大スーパーは大量の商品を安く販売することが可能になり、消費者は近所にスーパーがあっても近くのスーパーには行かず、たとえ少々遠くても安い商品を販売している巨大スーパーへ足を運ぶことになる。
この結果、１店舗、あるいは２〜３店舗のみしか有しない小さなスーパーは売り上げを伸ばすことが出来なくなる。日本全体の経済、経営的な面から見れば、単に中小のスーパーが淘汰されるということになるが、中小のスーパー側から見れば到底容認できるものではない。
【０００９】
また、中小のスーパーは、日本全国に多数の店舗を有する巨大スーパーとは違って１店舗、あるいは２〜３店舗を有するに過ぎず、仕入れる商品の総数量が少なく最初から巨大スーパーに太刀打ちできるものではない。
同じ地域の複数のスーパーが共同して商品を仕入れることも考えられるが、競争相手と共同で商品を仕入れることになり、簡単にはうまく行かないのも現状である。
【００１０】
一方、スーパーに商品を納入する問屋側から見れば以下のようなことがある。例えば、商品の賞味期限の関係で早急に商品をさばきたい場合があり、しかも該商品が大量に在庫となっている場合である。この大量の在庫の商品をさばく場合でも、中小のスーパーでは量的に商品をさばくことができず、多数の中小のスーパーに行って営業活動を行なう必要がある。
そのため、賞味期限が迫った商品をさばききれず、原価より大幅な価格で納入しなければならない場合や、売れ残った在庫の商品を廃棄しなければならないという場合もある。
【００１１】
また、印刷会社側から見た場合、以下のようなことがある。印刷会社は、１社の中小のスーパーのみのチラシを印刷しているものではなく、同じ地域（例えば、京都市内、大阪市内）、あるいは隣接する地域（例えば、京阪神地区）の多数の中小のスーパーのチラシを印刷している。
そして、特許文献１に記載の技術にてチラシ用版下を作成する場合、多数の中小のスーパーからの商品データ（商品名、該商品を製造している会社名、該商品の容量、該商品の店舗での売価）を入手している。
【００１２】
また、チラシを配布する場合、チラシには日付が必ず記載されているものであり、また、チラシの配布の約３〜７日前にチラシの版下を作成している。さらに、特売等のチラシの配布は、通常は週末が多く、しかも、多数の中小のスーパーが同時期にチラシを配布している。
【００１３】
そこで、印刷会社側にはクライアントである多数の中小のスーパーからの商品情報（商品データ）が自動的に入手されることから、この商品情報を如何に利用して、１店舗のみしか有しない零細なスーパーでも巨大スーパーと比較しても同等な商品の仕入単価で仕入れることができるようにすれば、零細あるいは中小のスーパーでも巨大スーパーに対して十分に対抗することができるようになる。
【発明の開示】
【発明が解決しようとする課題】
【００１４】
本発明は上述の問題点に鑑みて提供したものであって、少なくとも以下に示す目的を持ったチラシ用版下の作成過程におけるデータ処理方法及びチラシ用版下の作成におけるデータ処理システム、並びにチラシ用版下の作成におけるデータ処理システムを利用した入札システムを提供するものである。
（１）クライアントがチラシ用版下を作成する際に商品の仕入数量も入力させることで、多数のクライアントが同日あるいは同時期に販売する同じ商品の総数量をチラシ配布前に把握すること。
（２）同日あるいは同時期に販売する商品の総仕入数量は、商品別に把握すること。
（３）多数の中小のスーパーが販売する商品の総仕入数量でもって、総仕入数量を把握している印刷会社側が問屋側に商談を持ちかけて巨大スーパーと同じくらいに安価に商品を納入できるようにすること。
（４）多数のクライアントから商品の仕入数量と共に希望仕入単価も入力させて、最も安価な希望仕入単価で持って問屋側と折衝して、安価に商品を仕入れることができるようにすること。
（５）多数の問屋側にインターネット上で多数のクライアントが仕入れる商品の総仕入数量を公開し、入札させることで、商品を安価に仕入れることができるようにすること。
（６）入札の結果、落札した問屋側に商品の配送先の一覧表をインターネット上で呈示し、商品の配送を迅速化すること。
【課題を解決するための手段】
【００１５】
そこで、本発明の請求項１に記載のチラシ用版下の作成過程におけるデータ処理方法では、チラシを発注する多数のスーパーマーケット側に設置されているクライアント端末１と、このクライアント端末１から受注したチラシを製作する印刷会社側に設置されているサーバ装置２とがインターネットなどの通信回線３を介して接続されており、
前記各クライアント端末１が設けられているスーパーマーケット側には、商品、売価をチラシのどの場所に印刷するかのレイアウトが予め決められていて、印刷場所指定用、店名表示用、売り出し期間用のコードが各印刷場所にそれぞれ設けられているレイアウトファイル３０と、複数種類の商品名と該商品名に対応したコードが記載されている商品コードファイル３６とが予め備えられており、
前記クライアント端末１には、前記レイアウトファイル３０の各コードデータと商品コードファイル３６のコードデータを読み取る読取手段と、前記売り出し期間や商品の売価のデータが入力される入力手段とを備え、
前記サーバ装置２には、前記レイアウトファイル３０のレイアウト、商品名、売価、店名、売り出し期間の印刷場所に対応したデータベースファイルや、商品名を予めデータ化して格納しているデータベース部２４と、このデータベース部２４を制御する制御部２５とを備え、
前記クライアント端末１から通信回線３を介して順次伝送されてくる店名データ、売り出し期間の日付データ、商品名データ、印刷場所データ、売価データを前記サーバ装置２が順次取り込んでいき、該サーバ装置２では前記取り込んだ諸データに基づいて該サーバ装置２の制御部２５により前記データベース部２４に格納されているデータベースファイルに前記印刷場所、店名、売り出し期間、商品名、売価が設定されるようにしたチラシ配布前におけるチラシ用版下の作成におけるデータ処理過程において、
前記サーバ装置２側では前記商品の売価データの次に伝送されてきた商品の仕入数量データを前記日付データと共に保存し、前記各スーパーマーケットのクライアント端末１から伝送された商品の仕入数量データを仕入数量集計手段により日付データを基準にして集計し、全クライアント端末１からの総仕入数量をチラシ配布前に把握するようにしていることを特徴としている。
【００１６】
請求項２に記載のチラシ用版下の作成過程におけるデータ処理方法では、前記サーバ装置２は、前記クライアント端末１から伝送された商品の希望仕入単価を把握し、最低希望仕入単価を判定する機能を有していることを特徴としている。
【００１７】
請求項３に記載のチラシ用版下の作成過程におけるデータ処理方法では、前記総仕入数量に集計は商品別に行なっていることを特徴としている。
【００１８】
請求項４に記載のチラシ用版下の作成過程におけるデータ処理方法では、前記サーバ装置２は、全クライアント端末１から集計した総仕入数量と最低希望仕入単価を商品別に日付データを基準として一覧表示させるようにしていることを特徴としている。
【００１９】
請求項５に記載のチラシ用版下の作成におけるデータ処理システムでは、チラシを発注する多数のスーパーマーケット側に設置されているクライアント端末１と、このクライアント端末１から受注したチラシを製作する印刷会社側に設置されているサーバ装置２とがインターネットなどの通信回線３を介して接続されており、
前記各クライアント端末１が設けられているスーパーマーケット側には、商品、売価をチラシのどの場所に印刷するかのレイアウトが予め決められていて、印刷場所指定用、店名表示用、売り出し期間用のコードが各印刷場所にそれぞれ設けられているレイアウトファイル３０と、複数種類の商品名と該商品名に対応したコードが記載されている商品コードファイル３６とが予め備えられており、
前記クライアント端末１には、前記レイアウトファイル３０の各コードデータと商品コードファイル３６のコードデータを読み取る読取手段と、前記売り出し期間や商品の売価のデータが入力される入力手段とを備え、
前記サーバ装置２には、前記レイアウトファイル３０のレイアウト、商品名、売価、店名、売り出し期間の印刷場所に対応したデータベースファイルや、商品名を予めデータ化して格納しているデータベース部２４と、このデータベース部２４を制御する制御部２５とを備え、
前記クライアント端末１から通信回線３を介して順次伝送されてくる店名データ、売り出し期間の日付データ、商品名データ、印刷場所データ、売価データを前記サーバ装置２が順次取り込んでいき、該サーバ装置２では前記取り込んだ諸データに基づいて該サーバ装置２の制御部２５により前記データベース部２４に格納されているデータベースファイルに前記印刷場所、店名、売り出し期間、商品名、売価が設定されるようにしたチラシ配布前におけるチラシ用版下の作成におけるデータ処理システムにおいて、
前記サーバ装置２側では前記商品の売価データの次に伝送されてきた商品の仕入数量データを前記日付データと共に保存する手段と、前記各スーパーマーケットのクライアント端末１から伝送された商品の仕入数量データを日付データを基準にして集計する手段とを有し、全クライアント端末１からの総仕入数量をチラシ配布前に把握するようにしていることを特徴としている。
【００２０】
請求項６に記載のチラシ用版下の作成におけるデータ処理システムでは、前記サーバ装置２は、前記クライアント端末１から伝送された商品の希望仕入単価を把握し、最低希望仕入単価を判定する手段を備えていることを特徴としている。
【００２１】
請求項７に記載のチラシ用版下の作成におけるデータ処理システムでは、前記総仕入数量の集計は商品別に行なっていることを特徴としている。
【００２２】
請求項８に記載のチラシ用版下の作成におけるデータ処理システムでは、前記サーバ装置２は、全クライアント端末１から集計した総仕入数量と最低希望仕入単価を商品別に日付データを基準として一覧表示させる手段を備えていることを特徴としている。
【００２３】
請求項９に記載のチラシ用版下の作成におけるデータ処理システムを利用した入札システムでは、前記請求項５〜８のいずれかのチラシ用版下の作成におけるデータ処理システムに、前記クライアント端末１を設置しているクライアントへ商品の納入を希望する多数の問屋の問屋端末７０を加え、該問屋端末７０は前記通信回線３を介して前記多数のクライアント端末１及びサーバ装置２と接続されており、
前記サーバ装置２には、前記各クライアント端末１から伝送された商品別の総仕入数量データと最低希望仕入単価データとを保存する保存手段と、前記問屋端末７０ごとに前記保存手段より読み出した総仕入数量データと最低希望仕入単価データに基づいて商品別の総仕入数量と最低希望仕入単価とを一覧表示させる手段と、前記各問屋端末７０から入力された入札価格データを保存する保存手段と、入札期限後に前記両保存手段から読み出した商品の最低希望仕入単価データと入札価格データとを比較して落札する問屋端末７０を商品別に決定する手段とを備えていることを特徴としている。
【００２４】
請求項１０に記載のチラシ用版下の作成におけるデータ処理システムを利用した入札システムでは、前記サーバ装置２には、商品別に入札した各問屋端末７０からの入札価格を一覧表示させる手段を備えていることを特徴としている。
【００２５】
請求項１１に記載のチラシ用版下の作成におけるデータ処理システムを利用した入札システムでは、前記サーバ装置２には、入札結果に応じて落札の成否を表示させる手段を備えていることを特徴としている。
【００２６】
請求項１２に記載のチラシ用版下の作成におけるデータ処理システムを利用した入札システムでは、前記サーバ装置２には、入札の結果、落札した問屋端末７０側へ商品の配送先の一覧表を伝送する手段を備えていることを特徴としている。
【００２７】
請求項１３に記載のチラシ用版下の作成におけるデータ処理システムを利用した入札システムでは、前記配送先の一覧表を伝送する手段の一つとして電子メールを用いていることを特徴としている。
【発明の効果】
【００２８】
本発明の請求項１に記載のチラシ用版下の作成過程におけるデータ処理方法によれば、サーバ装置２側では前記商品の売価データの次に伝送されてきた商品の仕入数量データを前記日付データと共に保存し、前記各スーパーマーケットのクライアント端末１から伝送された商品の仕入数量データを仕入数量集計手段により日付データを基準にして集計し、全クライアント端末１からの総仕入数量をチラシ配布前に把握するようにしているので、チラシが実際に配布される前の段階のチラシ用版下を作成する時点で、多数のスーパーマーケットが仕入れようとする商品別に商品の総仕入数量をサーバ装置２側で把握することができる。商品の総仕入数量を把握しているサーバ装置２の管理者が各問屋に折衝して仕入単価が最も低い問屋に商品を納入させるようにすることで、１店舗しか有しない中小のスーパーマーケットであっても、巨大スーパーと同様の仕入単価で仕入れができ、十分に利益を確保することができる。
これにより、この商品別の総仕入数量は、巨大スーパーが仕入れようとする数量に匹敵するものであり、互いに孤立した独立系の中小のスーパーマーケットであっても、商品を仕入れする際に巨大スーパーに十分に対抗することができる。
【００２９】
請求項２に記載のチラシ用版下の作成過程におけるデータ処理方法によれば、前記サーバ装置２は、前記クライアント端末１から伝送された商品の希望仕入単価を把握し、最低希望仕入単価を判定する機能を有しているので、多数のクライアント端末１からの希望仕入単価の中で最低希望仕入単価を判定し、この判定した最低希望仕入単価でもってサーバ装置２側の管理者が商品の納入を希望する問屋側と折衝でき、すべての問屋の希望仕入単価に対して満足のいく折衝を行なうことができる。
【００３０】
請求項３に記載のチラシ用版下の作成過程におけるデータ処理方法によれば、前記総仕入数量の集計は商品別に行なっているので、スーパーマーケットが取り扱う膨大な種類の商品のすべてを容易に把握することができる。
【００３１】
請求項４に記載のチラシ用版下の作成過程におけるデータ処理方法によれば、前記サーバ装置２は、全クライアント端末１から集計した総仕入数量と最低希望仕入単価を商品別に日付データを基準として一覧表示させるようにしているので、サーバ装置２側の管理者は、総仕入数量と最低希望仕入単価の一覧を容易に把握することができる。
【００３２】
請求項５に記載のチラシ用版下の作成におけるデータ処理システムによれば、サーバ装置２側では前記商品の売価データの次に伝送されてきた商品の仕入数量データを前記日付データと共に保存する手段と、前記各スーパーマーケットのクライアント端末１から伝送された商品の仕入数量データを日付データを基準にして集計する手段とを有し、全クライアント端末１からの総仕入数量をチラシ配布前に把握するようにしているので、チラシが実際に配布される前の段階のチラシ用版下を作成する時点で、多数のスーパーマーケットが仕入れようとする商品別に商品の総仕入数量をサーバ装置２側で把握することができる。商品の総仕入数量を把握しているサーバ装置２の管理者が各問屋に折衝して仕入単価が最も低い問屋に商品を納入させるようにすることで、１店舗しか有しない中小のスーパーマーケットであっても、巨大スーパーと同様の仕入単価で仕入れができ、十分に利益を確保することができる。
これにより、この商品別の総仕入数量は、巨大スーパーが仕入れようとする数量に匹敵するものであり、互いに孤立した独立系の中小のスーパーマーケットであっても、商品を仕入れする際に巨大スーパーに十分に対抗することができる。
【００３３】
請求項６に記載のチラシ用版下の作成におけるデータ処理システムによれば、前記サーバ装置２は、前記クライアント端末１から伝送された商品の希望仕入単価を把握し、最低希望仕入単価を判定する手段を備えているので、多数のクライアント端末１からの希望仕入単価の中で最低希望仕入単価を判定し、この判定した最低希望仕入単価でもってサーバ装置２側の管理者が商品の納入を希望する問屋側と折衝でき、すべての問屋の希望仕入単価に対して満足のいく折衝を行なうことができる。
【００３４】
請求項７に記載のチラシ用版下の作成におけるデータ処理システムによれば、前記総仕入数量の集計は商品別に行なっているので、スーパーマーケットが取り扱う膨大な種類の商品のすべてを容易に把握することができる。
【００３５】
請求項８に記載のチラシ用版下の作成におけるデータ処理システムによれば、前記サーバ装置２は、全クライアント端末１から集計した総仕入数量と最低希望仕入単価を商品別に日付データを基準として一覧表示させる手段を備えているので、サーバ装置２側の管理者は、総仕入数量と最低希望仕入単価の一覧を容易に把握することができる。
【００３６】
請求項９に記載のチラシ用版下の作成におけるデータ処理システムを利用した入札システムによれば、前記サーバ装置２には、前記各クライアント端末１から伝送された商品別の総仕入数量データと最低希望仕入単価データとを保存する保存手段と、前記問屋端末７０ごとに前記保存手段より読み出した総仕入数量データと最低希望仕入単価データに基づいて商品別の総仕入数量と最低希望仕入単価とを一覧表示させる手段と、前記各問屋端末７０から入力された入札価格データを保存する保存手段と、入札期限後に前記両保存手段から読み出した商品の最低希望仕入単価データと入札価格データとを比較して落札する問屋端末７０を商品別に決定する手段とを備えているので、サーバ装置２側で入札期限後に多数のクライアント端末１からの最低希望仕入単価と多数の問屋端末７０からの入札価格とを比較して落札する問屋端末７０を商品別に決定することができ、商品を落札する問屋をスムーズに決定することができる。
また、問屋側では、クライアント側が仕入れようとする商品の総仕入数量が容易に分かり、例えば、問屋が在庫として持っている商品の中で賞味期限が近いものがある場合など、入札価格を少し安くすることで、賞味期限に近い商品を確実かつ大量にさばくことができ、問屋側及びクライアント側の双方に利益をもたらすものである。
【００３７】
請求項１０に記載のチラシ用版下の作成におけるデータ処理システムを利用した入札システムによれば、前記サーバ装置２には、商品別に入札した各問屋端末７０からの入札価格を一覧表示させる手段を備えているので、サーバ装置２の管理者は、問屋端末７０からの入札状況を容易に把握することができる。
【００３８】
請求項１１に記載のチラシ用版下の作成におけるデータ処理システムを利用した入札システムによれば、前記サーバ装置２には、入札結果に応じて落札の成否を表示させる手段を備えているので、問屋端末７０側では、落札状況に応じて今回の入札価格を次回の入札の参考資料とすることができ、有益となる。
【００３９】
請求項１２に記載のチラシ用版下の作成におけるデータ処理システムを利用した入札システムによれば、前記サーバ装置２には、入札の結果、落札した問屋端末７０側へ商品の配送先の一覧表を伝送する手段を備えているので、商品を落札した問屋端末７０の問屋側は、配送先の一覧表によりスムーズに配送準備を行なうことができる。
【００４０】
請求項１３に記載のチラシ用版下の作成におけるデータ処理システムを利用した入札システムによれば、前記配送先の一覧表を伝送する手段の一つとして電子メールを用いているので、入札結果が決まり次第、問屋端末７０からサーバ装置２へアクセスすることなく、落札が判明し、配送先の一覧表によりスムーズに配送準備を行なうことができる。
【発明を実施するための最良の形態】
【００４１】
以下、本発明の実施の形態を図面を参照して詳細に説明する。本発明は、同じ発明者の特許文献１に記載の技術が前提となっているので、本発明を説明する前に特許文献１を説明する必要がある。そこで、先ず、本発明の前提部分の特許文献１について図１〜図７により説明する。また、本発明では特許文献１に記載されているチラシ用版下の作成の技術事項に関して、種々改良しているので、特許文献１と全く同じではないが、基本的な技術事項は同じである。なお、より詳細な技術事項は特許文献１に記載されている。
【００４２】
図１はクライアント端末１とサーバ装置２との概略システムブロック図を示し、チラシを発注するスーパーマーケット側に設置されているクライアント端末１と、このクライアント端末１から受注してチラシを製作する印刷会社側に設置されているサーバ装置２と、クライアント端末１とサーバ装置２間でデータ等の伝送を行なうために手段としての通信回線３とで主に構成されている。
なお、通信回線３は、電話回線、専用回線、インターネットである。
【００４３】
コンピュータで構成されるクライアント端末１は、印刷会社側のサーバ装置２から伝送されてきたチラシ原稿等を表示する表示部１１と、カラープリンタ等からなる出力部１２と、キーボードやマウスからなる入力部１３と、後述するバーコードを読み取るバーコードリーダー１４と、プログラムを格納しておく記憶部１５と、全体の制御を司る制御部１６とで構成されている。
【００４４】
また、印刷会社側のサーバ装置２はホストコンピュータとしての機能を備えており、チラシ原稿を画面上に表示させる表示部２１と、キーボードやマウスからなる入力部２２と、カラープリンタ等からなる出力部２３と、商品名を予めデータ化して格納し、また、後述する種々のデータベースファイルを予め格納しているデータベース部２４と、全体の制御を司る制御部２５等で構成されている。なお、上記データベース部２４は、制御用プログラムをも予め格納されている。
【００４５】
図５は、スーパーマーケット側に予め保管させておくチラシのレイアウトファイル３０の一例を示し、このレイアウトファイル３０はプリントアウトしたものである。クライアントであるスーパーマーケットが配布するチラシの構成は、大体同じようなパターンが多く、セールス期間の日付と、挿入する商品、売価等が異なるだけである。
また、印刷会社側で当該スーパーマーケットが配布するチラシの他のレイアウトを複数予め用意しておき、複数種類のパターンのレイアウトを構成したレイアウトファイル３０からなる図２に示すようなレイアウト集をスーパーマーケット側に保管させておく。
【００４６】
チラシ作成の特徴として、バーコードを読み取って店名、日付、商品、売価等を取得し、それを印刷会社側のサーバ装置２に反映させている点である。したがって、各種データに対応させたバーコードを図５に示すように、レイアウトファイル３０に印字しておき、任意の場所に任意の商品を印刷できるようにしている。
図５の例では、レイアウトファイル３０の右上に、当該スーパーマーケットの店名コードを入力する店名コード入力部３１を設け、また、左上にはセールス期間を入力する日付コード入力部３２を設けている。さらに、レイアウトファイル３０には、商品を印刷する場所を予め決めておき、その商品の場所を認識させるための場所コード入力部３３が複数設けられている。
【００４７】
上記場所コード入力部３３には、商品名と売価とが印刷されるようになっており、商品写真をも同時に印刷する場合には、写真配置部３４を備えた場所コード入力部３５も複数設けている。図５の例では、四角枠の中に「写真」と記載しているのが写真配置部３４を示し、この写真配置部３４に近接して略円形部分が場所コード入力部３５である。
商品写真を印刷する写真配置部３４とセットした場所コード入力部３５と、商品写真を印刷せずに商品名と売価を印刷する場所コード入力部３３は、任意の位置に設けても良い。図５に示すのは一例である。なお、図４に一部を拡大したのを示す。
【００４８】
また、スーパーマーケット側には、上記レイアウトファイル３０を複数種類からなるレイアウト集（図２参照）の他に、図３に示すような商品コードファイル３６も同時に保管させるようにしている。この商品コードファイル３６には、当該スーパーマーケットが販売する商品の名称と、その商品に対応したバーコードを記載したものであり、図３の例では、にんじん、だいこん、ほうれん草、しいたけ、はくさい、じゃがいもである。そして、その商品名の横にバーコードを記載している。
【００４９】
一方、印刷会社側のサーバ装置２には、図５に対応したデータベースファイルを持っており、図６にこのデータベースファイルを示す。図５に示すレイアウトファイル３０と、データベース部２４内に格納している図６に示すデータベースファイルとは対応しており、実際に商品名や売価等の文字や数字が入力される前は、該当するデータベースファイルの場所は、ゼロ表示されている。
ここで、データベースファイルには、商品名と売価等の文字や数字の大きさは予め決めておき、指定された場所コードの次に入力された文字や数字は所定の大きさに決定されることになる。また、カラー表示を行なう場合には、文字や数字の大きさと一緒に色の属性も予め決めておく。例えば、売価は赤色とかである。
【００５０】
チラシの版下は、例えば、図７に示すようなものであり、これら図６に示すデータベースファイルや、図７に示す印刷例をプリントアウトしたものをファイルとして、レイアウトファイル３０とともにスーパーマーケット側に渡しておくことで、スーパーマーケット側はクライアント端末１でチラシの原稿を作成する場合に、どのようなレイアウトのチラシが作成されるのかが容易に把握することができる。
【００５１】
次に、クライアント端末１とサーバ装置２とでチラシの版下を作成する場合の動作について説明する。まず、図２に示すレイアウト集から任意のレイアウトファイル３０を選択する。そして、クライアント端末１のバーコードリーダー１４により、店名コード入力部３１で店名コードを読み取る。なお、店名コード入力部３１では、どのレイアウトファイル３０を選択したかを同時に読み取るようにしている。
次に、上記と同様に日付コード入力部３２をバーコードを読み取ると共に、セールス期間（例えば、３月２日〜３月４日）をキーボードから入力する。次に、場所コードを入力するが、この時、チラシのどの場所に何の商品を入れるかを決定する。
【００５２】
例えば、図５に示すレイアウトファイル３０の左上部の場所コード入力部３５を指定してその場所コードをバーコードリーダー１４にて読み取ると、その位置が決定され、次に、その場所に印刷する商品（例えば、にんじん）に対応した商品コードを入力する。例えば、図３に示す商品コードファイル３６から、にんじんの横に記載されているバーコードを読み取る。すると、この場所コード入力部３５は、写真配置部３４とセットとなっているので、自動的に「にんじんの写真」が入るようになっている。
【００５３】
次に、そのにんじんの売価をキーボードのテンキーから直接入力する。これにより、チラシの左上部には、にんじんの写真、名称、売価が設定されることになる。上記のように、場所コード入力部３３、３５のバーコードを読み取り、その場所に入れる商品コード、売価をそれぞれ入力することで、スーパーマーケット側のクライアント端末１でチラシの原稿ができることになる。この結果を通信回線３を介して印刷会社側のサーバ装置２へ伝送する。
【００５４】
次に、印刷会社側のサーバ装置２の動作について説明する。スーパーマーケット側のクライアント端末１から通信回線３を介して印刷会社側のサーバ装置２が原稿のデータを受信すると、受信したデータから先ずどのデータベースファイルを用いるのかを判断して、スーパーマーケット側が用いたレイアウトファイル３０に対応した図６に示すようなデータベースファイルをデータベース部２４から取り出す。
次に、指定された場所コードに商品写真が付随しているかどうかを判断し、商品写真がセットされていない場合には指定された場所に、バーコードで指定された商品名、売価を当該指定場所に設定する。
【００５５】
指定された場所に商品写真を印刷する場合には、指定された場所に指定された商品の写真、商品名、売価等を設定する。ここで、商品写真、商品名等は、データベース部２４内で予めセットして格納しておき、商品写真がセットされている場所コードの場合には、そのデータをそのまま取り出して、その場所に売価とともに設定するが、商品写真がセットされておらず、商品名だけの場合では、データベース部２４からは商品名だけを取り出して、その場所に売価とともに設定するようにしている。
【００５６】
このようにして、印刷会社側のサーバ装置２では、スーパーマーケット側が選択したレイアウトファイル３０に対応したデータベースファイルを取り出し、クライアント端末１にて設定された場所コード、及びこれに付随する商品名、売価等は、場所コードに付随しているデータからデータベースファイルにそれぞれ設定されることで、チラシ用版下が作成され、これを登録する。
次に、上記のようにして作成されたチラシ用版下は、スーパーマーケット側はクライアント端末１の表示部１１の画面上で確認する。なお、クライアント端末１からチラシの原稿をサーバ装置２へ伝送した時点で、サーバ装置２では上記の処理が瞬時に行なわれるので、クライアント端末１から原稿のデータを伝送すると、該クライアント端末１の表示部１１ですぐにチラシの版下を画面上で確認することができる。また、画面ではカラー表示されているので、色の確認もすぐに行なうことができる。
【００５７】
このようにして、チラシ用版下が完成すると、版下のデータベースファイルをプレートセッターに出力し、チラシの印刷に取りかかる。印刷後は、新聞配達所に配送する。
【００５８】
ここで、クライアント端末１では、商品コードや売価をすべて入力してからサーバ装置２へ伝送し、その結果をクライアント端末１側で表示するようにしている。しかし、商品コード、売価を入力するごとにクライアント端末１からサーバ装置２へ伝送し、サーバ装置２側ではこれをデータベースファイルの指定された場所に商品名、売価を設定し、これをクライアント端末１へ伝送して指定場所、商品名、売価をクライアント端末１側でその都度表示させるリアルタイム式で行なうようにしても良い。
【００５９】
かかるチラシ用版下の作成方法により、チラシの受注から新聞配達所までの日数を約２〜３日間にでき、納入を非常に短縮することができる。また、チラシのどの場所に、何の商品を、いくらの値段でするかは、クライアント端末１のスーパーマーケット側が設定、入力するので、印刷会社側での間違いが皆無となり、また、商品と売価、場所の位置決めの調整がなくなり、そのため、チラシのコストを非常に安くすることができる。
【００６０】
以上の内容が上記特許文献１に記載されているチラシ用版下の基本的な技術事項であり、このデータ処理方法ないしデータ処理システムを前提とした本発明について以下に詳述する。
【００６１】
図８は本発明の全体のシステムブロック図を示し、印刷会社側のサーバ装置２を中心として、通信回線３（以下インターネット３という。）を介して多数のスーパーマーケット側のクライアント端末１・・・と、スーパーマーケットへ商品を落札して納入しようとする多数の問屋側の問屋端末７０・・・が接続されている。
【００６２】
ここで、本発明では、商品の共同仕入という観点からスーパーマーケット側、つまりクライアント端末１が多数を前提としている。また、巨大スーパーと対抗して商品を安く仕入れるために入札を行なうということから問屋側、つまり問屋端末７０も多数を前提としている。
また、スーパーマーケットの店舗数は、印刷会社が請け負っている数として実際には１００店舗以上であり、そのため、商品の総仕入数量が膨大となることと、入札競争をして商品を安価に仕入れることから、問屋は多ければ多いほど良い。また、スーパーマーケットで扱う商品の種類は何千アイテムもあり、このアイテム数に対応できる大きさの問屋はもちろん、少ないアイテムの商品を扱っている問屋の場合でも良い。
【００６３】
スーパーマーケット側のクライアント端末１のコンピュータのハード構成は基本的には図１の場合と同様であり、クライアント端末１にインストールされるソフトウエアが若干異なる（機能の追加）だけである。また、印刷会社側のサーバ装置２のコンピュータのハード構成も基本的には図１の場合と同様であり、クライアント端末１の場合と同様にインストールされるソフトウエアが若干異なる（機能の追加）だけである。
問屋側の問屋端末７０のコンピュータは、現在ではＷｅｂブラウザ機能や、電子メール機能はどのようなパソコンでも付随しているので、市販の一般的なパソコンで十分である。また、問屋端末７０はサーバ装置２やクライアント端末１とは異なり専用のソフトウエアは不要であり、一般の市販のパソコンで使用可能である。
【００６４】
図９は印刷会社側のサーバ装置２の主要な制御部２５とデータベース部２４とのブロック図を示している。この制御部２５は、上述した処理にてクライアント端末１からのデータを受けてチラシ用版下を作成するためのチラシ版下作成部４０と、商品別仕入数量集計部４１と、商品別仕入単価最低価格判定部４２と、商品別仕入単価決定部４３と、入札期限設定部４４と、サーバ装置側一覧表作成部４５と、電子メールの本文作成や電子メールの送受信機能を備えているメールサーバ機能部４６と、商品別入札価格集計部４７と、商品別入札価格判定部４８と、商品別入札価格決定部４９と、商品別配送先作成部５０と、問屋端末側一覧表作成部５１と、これら各部の全体の制御を行なうＣＰＵ５２等で構成されている。なお、各部の内容、機能については後述していく。また、記憶装置としての機能を備えたデータベース部２４にて上記各部で受信した諸データや作成した表などのデータが保存されるようになっている。
【００６５】
ここで、各スーパーマーケットが問屋から共同仕入を行なう商品、つまり仕入数量を集計する商品は、製造メーカーが製造する食品で、野菜、魚肉などの鮮度が非常に要求される食品は扱わない。しかし、物流のスピードなどの関係でこれらの野菜、魚肉などを扱うようにしても良い。
【００６６】
図１０は、あるスーパーマーケット側のクライアント端末１のフローチャートを示し、図１０を参照してクライアント端末１の動作を説明する。ステップＳ１からステップＳ６までは上述した動作と同じであり、ステップＳ１に示すように、クライアント端末１側でクライアントが任意のレイアウトファイル３０を選択し、バーコードリーダー１４にてレイアウトファイル３０から店名コードを入力する。
次に、ステップＳ２及びステップＳ３に示すように、バーコードリーダー１４にて店名コード、日付コードを読み取り、さらに、場所コードを読み取る（ステップＳ４参照）。次いでステップＳ５及びステップＳ６に示すように、商品コードを読み取り、さらに売価をキーボードから入力する。以上の操作は今までと同様の操作である。
【００６７】
次に、ステップＳ７において、今入力した商品の仕入数量を入力しない場合にはステップＳ１０に移行する。商品の仕入数量を入力する場合にはステップＳ８に移行してクライアント端末１の入力部１３のキーボードから該商品の仕入数量を入力する。
商品の仕入数量を入力した後は、ステップＳ９に示すように、該商品の希望仕入単価をキーボードから入力する。ここで、希望仕入単価とは、その業界で使用されている単価であり、１個の場合、半ダース、１ダース、１箱の場合などが該当する。
【００６８】
商品の希望仕入単価を入力した後、ステップＳ１０に進んで、次に商品コードを入力する場合はステップＳ４に戻って上記の操作を繰り返す。この操作はチラシに掲載する商品をすべて設定するまで行ない、チラシの原稿を作成し終わった後はステップＳ１１に移行し、サーバ装置２からインターネット３を介して伝送されてきたデータベースファイル（チラシ用版下）の画面表示を見て、その内容で良ければ確認ボタン（図示せず）をクリックすることで、チラシ原稿の作成が終了する。
【００６９】
ここで、図１１はマヨネーズに関連した商品コードファイル３６を示し、マヨネーズの製造メーカー、４００ｇ、１ｋｇといった容量がそれぞれ記載されており、例えば、○○○社のマヨネーズで、容量が１ｋｇの場合は、上から２つめのバーコードをバーコードリーダー１４にて読み取る。
また、図１２はソースの商品コードファイル３６を示し、ソースは、「ウスターソース」と「とんかつソース」とがあり、それぞれの商品別に対応させてバーコードを横に記載している。例えば、△△△社の「とんかつソース」で、容量が５００ｇの場合には、一番下のバーコードをバーコードリーダー１４にて読み取る。
【００７０】
図１３は、例えば、Ａスーパーが上記の操作でチラシの原稿を作成した場合における仕入れる商品の一例を示し、売り出し日が「３月１日」で、それぞれの商品の商品データ（商品名、会社名、容量）、仕入数量、希望仕入単価（価格）が入力されている。
図１４は、同様にＢスーパーがチラシの原稿を作成した場合における仕入れる商品の一例である。このＢスーパーは、店舗数が１つで比較的小さなスーパーマーケットとし、Ａスーパーは、店舗数が複数あり、Ｂスーパーと比べて規模が比較的大きなスーパーマーケットの場合である。
【００７１】
したがって、ＢスーパーはＡスーパーと比べて全商品の仕入数量は少なく、また、希望仕入単価も仕入数量の関係から高くなっている。スーパーマーケット単独で商品を仕入れしようとすると、仕入数量の関係からＢスーパーは、Ａスーパーと比べて高い価格で問屋から仕入れざるを得ないのが現状である。しかし、本発明では、Ａスーパー、Ｂスーパー、Ｃスーパー・・・等が多数のスーパーマーケットが共同仕入をすることで、仕入単価を安くできるようにしている。
【００７２】
図１５はサーバ装置２側のフローチャートを示し、ステップＳ２６〜ステップＳ２８を除いては特許文献１に記載されている制御と同じである。また、サーバ装置２側ではクライアント端末１からデータを受信するたびに、データベース部２４から取り出したレイアウトファイル３０に対応するデータベースファイルに場所、商品名、売価等を設定するようにしている。なお、図１５においては、説明の便宜上、写真配置に関しては省略している。
【００７３】
図１５において、クライアント端末１から受信したデータから対応するデータベースファイルをデータベース部２４から取り出し（ステップＳ２１参照）、続いて伝送されてくる店名コードデータ、日付コードデータを取り込む（ステップＳ２２参照）。これらのデータを取り込むたびに図９に示すチラシ版下作成部４０によりデータベースファイルに店名、日付けが設定される（ステップＳ４１参照）。
続いて、サーバ装置２は、クライアント端末１から伝送されてきた場所コード（ステップＳ２３参照）、商品名、会社名、容量等の商品データ（ステップＳ２４参照）及び売価データを取り込み（ステップＳ２５参照）。これらのデータを取り込むと同時に、チラシ版下作成部４０によりデータベースファイルに場所、商品名、売価が決定ないし設定される（ステップＳ４２〜ステップＳ４４参照）。
【００７４】
次に、図１５のステップＳ２６に示すように、売価データの次に仕入数量データが伝送されてきた場合には、ステップＳ２７に移行して仕入数量データを取り込む。次に、ステップＳ２８に示すように、希望仕入単価データを取り込み、ステップＳ２９に進む。ステップＳ２９では、次のデータが場所データであれば、ステップＳ２３に戻ってこれらの制御動作（データの取り込み動作）が繰り返される。なお、上記の商品別の仕入数量データや希望仕入単価データはデータベースファイル（チラシ作成）には反映されないものであり、かかる仕入数量データ、希望仕入単価データはデータベース部２４に一時保存される。
ステップＳ２９において、次のデータが確認ボタンからの信号であれば（ステップＳ３０参照）、チラシ用版下が完成し、データベースファイルを登録し、データベース部２４に保存する。
【００７５】
このようにして、多数のスーパーマーケットのクライアント端末１からチラシ用版下の原稿を作成する作業において、共同仕入を行なう商品が、商品別に総数量、希望仕入単価がサーバ装置２に集計される。図１６はかかる場合の機能図を示しており、各スーパーマーケットのクライアント端末１からサーバ装置２へ商品別の商品データ、仕入数量、希望仕入単価のデータが伝送され、サーバ装置２において、これらのデータを集計する。
【００７６】
図９において、商品別仕入数量集計部４１では、各スーパーマーケットからの商品別の仕入数量をセールス期間の日付データを基準にして商品別に仕入の総数量を集計する。また、商品別仕入単価最低価格判定部４２では、各スーパーマーケットから伝送されてくる希望仕入単価を日付データを基準にして商品別に集計し、どのスーパーマーケットからの希望仕入単価が最低かを判定する。
すべてのスーパーマーケットからのデータが伝送されてきた時点で、商品別仕入単価決定部４３では、商品別仕入単価最低価格判定部４２からの最低希望仕入単価データを取り込んで商品別の最低希望仕入単価を決定する。なお、チラシ用版下を作成する際に、セールス期間に対応した日付時刻を予め設定しておくことで、上記の最低希望仕入単価を決定するようにしている。
【００７７】
このようにサーバ装置２側において、クライアント端末１から伝送された商品の希望仕入単価を把握し、最低希望仕入単価を判定する機能を有しているので、多数のクライアント端末１からの希望仕入単価の中で最低希望仕入単価を判定し、この判定した最低希望仕入単価でもってサーバ装置２側の管理者が商品の納入を希望する問屋側と折衝でき、すべての問屋の希望仕入単価に対して満足のいく折衝を行なうことができる。
また、総仕入数量の集計は商品別に行なっているので、スーパーマーケットが取り扱う膨大な種類の商品のすべてを容易に把握することができる。
【００７８】
図１７は、サーバ装置２のサーバ装置側一覧表作成部４５にて作成した日付を基準とした商品別の総仕入数量と最低希望仕入単価（価格）の一覧表であり、この一覧表はサーバ装置２の表示部２１にて画面表示される。
特に、サーバ装置２において、全クライアント端末１から集計した総仕入数量と最低希望仕入単価を商品別に日付データを基準としてサーバ装置側一覧表作成部４５にて一覧表示させるようにしているので、サーバ装置２側の管理者は、総仕入数量と最低希望仕入単価の一覧を容易に把握することができる。
【００７９】
また、図１８は問屋の問屋端末７０からサーバ装置２をアクセスして問屋端末７０の画面にＷｅｂブラウザ形式にて表示される一覧表を示している。この問屋端末７０側で表示される一覧表は、図１７に示すサーバ装置２側で表示される一覧表とほぼ同様であるが、問屋端末７０側には、入札期限、入札価格、入札結果、配送先の欄が追加して表示されている。なお、この図１８に示す一覧表は、図９に示す制御部２５の問屋端末側一覧表作成部５１にて作成される。
【００８０】
図１９は問屋端末７０側の制御動作のフローチャートを示し、ステップＳ５１に示すように、問屋端末７０のＷｅｂブラウザを起動し、インターネット３を介してサーバ装置２へアクセスする（ステップＳ５２参照）。次に、ステップＳ５３に示すように、問屋端末７０の画面に表示されるログイン画面から予め設定されている問屋端末７０のアカウント、パスワードを入力し、次いで、日付を入力すると、日付に対応した商品別の総仕入数量、入札期限が挿入された図１８に示す一覧表が表示される（ステップＳ５５参照）。
【００８１】
なお、上記の入札期限は、図９に示す入札期限設定部４４にて設定されるものであり、例えば、日付（例えば、３月１日）から２日、あるいは３日前に自動的に設定するようにしても良く、あるいは、サーバ装置２側のオペレータがキーボードから手入力にて設定するようにしても良い。
【００８２】
次に、ステップＳ５６に進んで、問屋端末７０から各商品の入札価格をその欄の部分に入力する。図２０は係るＡ問屋の場合の入札価格を挿入した後の一覧表を示している。なお、問屋端末７０側の表示画面には、図１８に示すように、日付、商品データ、総仕入数量、入札期限しか表示されず、詳細なスーパーマーケット名は表示されないようになっている。
図１６はかかる場合の機能図を示しており、各問屋の問屋端末７０サーバ装置２へ商品別の入札価格が伝送され、サーバ装置２において、これらの入札価格データが一覧表に挿入されたり、集計される。また、データベース部２４内ではこれらの入札価格データが保存される。
【００８３】
各問屋の問屋端末７０からは上記のようにサーバ装置２へアクセスして一覧表から入札価格を入力していくものであり、かかる各問屋端末７０からの入札価格は図９に示すサーバ装置２の商品別入札価格集計部４７にて集計される。また、商品別入札価格判定部４８にて、どの問屋端末７０からの入札価格が低いかを常時判定しており、入札期限が経過した後に、商品別入札価格決定部４９にて最も安い入札価格を入力した問屋端末７０を商品別に決定を行なう。
また、入札の結果、入札した問屋端末７０に対して商品別の配送先の一覧表を商品別配送先作成部５０が作成し、この作成した一覧表を問屋端末７０がサーバ装置２へアクセスして画面にて見ることができる。なお、問屋端末側一覧表作成部５１は、問屋端末７０側に表示される図１８、図２０に示すような一覧表を作成する機能を有しているものである。
【００８４】
図２１は、図９に示すサーバ装置２のサーバ装置側一覧表作成部４５にて作成された一覧表を示し、各問屋端末７０からの商品別の入札状況の状態を画面表示しており、各問屋端末７０の入札価格を表示させて入札価格の状況が容易にリアルタイムで把握できるようになっている。これにより、サーバ装置２の管理者は、問屋端末７０からの入札状況を容易に把握することができる。
また、この図２１に示す一覧表の右側には、入札されたか否かの入札の成否を示す欄と、商品別にどの問屋端末７０（問屋）が入札したかを示す欄とが設けられている。
【００８５】
入札期限が経過すると、サーバ装置２の商品別入札価格決定部４９にて商品別に入札の成否を決定し、その結果を図２１に示すように「入札の成否」の欄の箇所に落札された場合には○印が表示され、同時にどの問屋端末７０が落札したかを「問屋名」の欄の箇所に表示される。なお、最低希望仕入単価より高い価格で入札が応募された場合には、入札が成立しなかったとして、「入札の成否」の欄に×印が表示されることになる。これにより、問屋端末７０側では、落札状況に応じて今回の入札価格を次回の入札の参考資料とすることができ、有益となる。
【００８６】
また、図１９にステップＳ５７に示すように、各問屋端末７０は入札期限経過後にサーバ装置２へアクセスして入札結果を見る。図２２は、例えばＡ問屋の問屋端末７０に画面表示されている一覧表を示し、自己が入札した結果、成立した商品に「入札結果」の欄に○印が表示され（ステップＳ５８参照）、これにより、自己がどの商品を入札して落札したかを容易に把握することができる。
また、○印が表示されている右方の「配送先」の欄にはボタン７１が表示が表示されており、このボタン７１をクリックすると（ステップＳ５９参照）、図２３に示すように、ある商品（図２３ではマヨネーズ）の配送先の一覧表が画面が切り替わって表示される（ステップＳ６０参照）。
【００８７】
図２３に示す商品別の配送先の一覧表はサーバ装置２の商品別配送先作成部５０にて作成され、各スーパーマーケット名と数量とが表示される。これを問屋端末７０側でダウンロードをしてプリントアウトし（ステップＳ６１参照）、商品を各スーパーマーケットに配送する（ステップＳ６２参照）。これにより、商品を落札した問屋端末７０の問屋側は、配送先の一覧表によりスムーズに配送準備を行なうことができる。
【００８８】
なお、入札結果は、サーバ装置２のメールサーバ機能部４６により落札した問屋端末７０へ直接にメールを送り、配送先一覧表は添付ファイルで送るようにしても良い。かかる場合には、入札結果が決まり次第、問屋端末７０からサーバ装置２へアクセスすることなく、落札が判明し、配送先の一覧表によりスムーズに配送準備を行なうことができる。
【００８９】
このように本実施形態では、チラシが実際に配布される前の段階のチラシ用版下を作成する時点で、多数のスーパーマーケットが仕入れようとする商品別に商品の総仕入数量をサーバ装置２側で把握することができる。商品の総仕入数量を把握しているサーバ装置２の管理者が各問屋に折衝して仕入単価が最も低い問屋に商品を納入させるようにすることで、１店舗しか有しない中小のスーパーマーケットであっても、巨大スーパーと同様の仕入単価で仕入れができ、十分に利益を確保することができる。
これにより、この商品別の総仕入数量は、巨大スーパーが仕入れようとする数量に匹敵するものであり、互いに孤立した独立系の中小のスーパーマーケットであっても、商品を仕入れする際に巨大スーパーに十分に対抗することができる。  
【００９０】
また、本発明の入札システムにおいては、入札期限後にクライアント端末１からの最低希望仕入単価データと問屋端末７０からの入札価格データとを比較して落札する問屋端末７０を商品別に決定しているので、サーバ装置２側で入札期限後に多数のクライアント端末１からの最低希望仕入単価と多数の問屋端末７０からの入札価格とを比較して落札する問屋端末７０を商品別に決定することができ、商品を落札する問屋をスムーズに決定することができる。
また、問屋側では、クライアント側が仕入れようとする商品の総仕入数量が容易に分かり、例えば、問屋が在庫として持っている商品の中で賞味期限が近いものがある場合など、入札価格を少し安くすることで、賞味期限に近い商品を確実かつ大量にさばくことができ、問屋側及びクライアント側の双方に利益をもたらすものである。
【図面の簡単な説明】
【００９１】
【図１】本発明の前提となるチラシ用版下のデータ処理システムのブロック図である。
【図２】本発明の前提となるレイアウトファイルを示すレイアウト集の図である。
【図３】本発明の前提となる商品コードファイルの図である。
【図４】本発明の前提となるレイアウトファイルの要部拡大図である。
【図５】本発明の前提となるレイアウトファイルの図である。
【図６】本発明の前提となるデータベースファイルの図である。
【図７】本発明の前提となるデータベースファイルにデータを設定した作成したチラシ用版下の図である。
【図８】本発明の実施の形態における全体の概略システムブロック図である。
【図９】本発明の実施の形態におけるサーバ装置の制御部のブロック図である。
【図１０】本発明の実施の形態におけるクライアント端末における動作のフローチャートである。
【図１１】本発明の実施の形態における商品コードファイルを示す図である。
【図１２】本発明の実施の形態における商品コードファイルを示す図である。
【図１３】本発明の実施の形態におけるＡスーパーが入力した商品データや仕入数量を示した表である。
【図１４】本発明の実施の形態におけるＢスーパーが入力した商品データや仕入数量を示した表である。
【図１５】本発明の実施の形態におけるサーバ装置側の制御動作を示すフローチャートである。
【図１６】本発明の実施の形態におけるクライアント端末、問屋端末及びサーバ装置間でのデータの授受を示す機能図である。
【図１７】本発明の実施の形態におけるサーバ装置で集計した共同仕入商品の一覧表を示す図である。
【図１８】本発明の実施の形態における問屋端末で画面表示される一覧表を示す図である。
【図１９】本発明の実施の形態における問屋端末側の制御動作を示す図である。
【図２０】本発明の実施の形態におけるＡ問屋の問屋端末で画面表示される一覧表を示す図である。
【図２１】本発明の実施の形態におけるサーバ装置で画面表示される一覧表を示す図である。
【図２２】本発明の実施の形態におけるＡ問屋の問屋端末で入札結果の一覧表を示す図である。
【図２３】本発明の実施の形態における落札した商品の配送先の一覧表を示す図である。
【符号の説明】
【００９２】
１  クライアント端末
２  サーバ装置
３  通信回線
２４  データベース部
２５  制御部
３０  レイアウトファイル
３６  商品コードファイル
４０  チラシ版下作成部
４１  商品別仕入数量集計部
４２  商品別仕入単価最低価格判定部
４３  商品別仕入単価決定部
４４  入札期限設定部
４５  サーバ装置側一覧表作成部
４６  メールサーバ機能部
４７  商品別入札価格集計部
４８  商品別入札価格判定部
４９  商品別入札価格決定部
５０  商品別配送先作成部
５１  問屋端末側一覧表作成部
５２  ＣＰＵ
７０  問屋端末
【手続補正書】
【提出日】平成17年6月16日(2005.6.16)
【手続補正１】
【補正対象書類名】特許請求の範囲
【補正対象項目名】全文
【補正方法】変更
【補正の内容】
【特許請求の範囲】
【請求項１】
チラシを発注する多数のスーパーマーケット側に設置されているクライアント端末（１）と、このクライアント端末（１）から受注したチラシを製作する印刷会社側に設置されているサーバ装置（２）とがインターネットなどの通信回線（３）を介して接続されており、
前記多数のスーパーマーケットの内、あるスーパーマーケットは店舗数が１つであり、あるスーパーマーケットは店舗数が複数であり、各スーパーマーケットはそれぞれ競争相手であり、
前記各クライアント端末（１）が設けられているスーパーマーケット側には、商品、売価をチラシのどの場所に印刷するかのレイアウトが予め決められていて、印刷場所指定用、店名表示用、売り出し期間用のコードが各印刷場所にそれぞれ設けられているレイアウトファイル（３０）と、複数種類の商品名と該商品名に対応したコードが記載されている商品コードファイル（３６）とが予め備えられており、
前記クライアント端末（１）には、前記レイアウトファイル（３０）の各コードデータと商品コードファイル（３６）のコードデータを読み取る読取手段と、前記売り出し期間や商品の売価のデータが入力される入力手段とを備え、
前記サーバ装置（２）には、前記レイアウトファイル（３０）のレイアウト、商品名、売価、店名、売り出し期間の印刷場所に対応したデータベースファイルや、商品名を予めデータ化して格納しているデータベース部（２４）と、このデータベース部（２４）を制御する制御部（２５）とを備え、
前記クライアント端末（１）から通信回線（３）を介して順次伝送されてくる店名データ、売り出し期間の日付データ、商品名データ、印刷場所データ、売価データを前記サーバ装置（２）が順次取り込んでいき、該サーバ装置（２）では前記取り込んだ諸データに基づいて該サーバ装置（２）の制御部（２５）により前記データベース部（２４）に格納されているデータベースファイルに前記印刷場所、店名、売り出し期間、商品名、売価が設定されるようにしたチラシ配布前におけるチラシ用版下の作成におけるデータ処理過程において、
前記サーバ装置（２）側では前記商品の売価データの次に伝送されてきた商品の仕入数量データを前記日付データと共に保存し、前記各スーパーマーケットのクライアント端末（１）から伝送された同一商品の仕入数量データを仕入数量集計手段により同一売り出し日の日付データを基準にして集計し、全クライアント端末（１）からの同一売り出し日における同一商品の総仕入数量をチラシ配布前のチラシ用版下作成時点で把握するようにしていることを特徴とするチラシ用版下の作成過程におけるデータ処理方法。
【請求項２】
前記サーバ装置（２）は、前記クライアント端末（１）から伝送された商品の希望仕入単価を把握し、最低希望仕入単価を判定する機能を有していることを特徴とする請求項１に記載のチラシ用版下の作成過程におけるデータ処理方法。
【請求項３】
前記総仕入数量の集計は商品別に行なっていることを特徴とする請求項１に記載のチラシ用版下の作成過程におけるデータ処理方法。
【請求項４】
前記サーバ装置（２）は、全クライアント端末（１）から集計した総仕入数量と最低希望仕入単価を商品別に日付データを基準として一覧表示させるようにしていることを特徴とする請求項２または請求項３に記載のチラシ用版下の作成過程におけるデータ処理方法。
【請求項５】
チラシを発注する多数のスーパーマーケット側に設置されているクライアント端末（１）と、このクライアント端末（１）から受注したチラシを製作する印刷会社側に設置されているサーバ装置（２）とがインターネットなどの通信回線（３）を介して接続されており、
前記多数のスーパーマーケットの内、あるスーパーマーケットは店舗数が１つであり、あるスーパーマーケットは店舗数が複数であり、各スーパーマーケットはそれぞれ競争相手であり、
前記各クライアント端末（１）が設けられているスーパーマーケット側には、商品、売価をチラシのどの場所に印刷するかのレイアウトが予め決められていて、印刷場所指定用、店名表示用、売り出し期間用のコードが各印刷場所にそれぞれ設けられているレイアウトファイル（３０）と、複数種類の商品名と該商品名に対応したコードが記載されている商品コードファイル（３６）とが予め備えられており、
前記クライアント端末（１）には、前記レイアウトファイル（３０）の各コードデータと商品コードファイル（３６）のコードデータを読み取る読取手段と、前記売り出し期間や商品の売価のデータが入力される入力手段とを備え、
前記サーバ装置（２）には、前記レイアウトファイル（３０）のレイアウト、商品名、売価、店名、売り出し期間の印刷場所に対応したデータベースファイルや、商品名を予めデータ化して格納しているデータベース部（２４）と、このデータベース部（２４）を制御する制御部（２５）とを備え、
前記クライアント端末（１）から通信回線（３）を介して順次伝送されてくる店名データ、売り出し期間の日付データ、商品名データ、印刷場所データ、売価データを前記サーバ装置（２）が順次取り込んでいき、該サーバ装置（２）では前記取り込んだ諸データに基づいて該サーバ装置（２）の制御部（２５）により前記データベース部（２４）に格納されているデータベースファイルに前記印刷場所、店名、売り出し期間、商品名、売価が設定されるようにしたチラシ配布前におけるチラシ用版下の作成におけるデータ処理システムにおいて、
前記サーバ装置（２）側では前記商品の売価データの次に伝送されてきた商品の仕入数量データを前記日付データと共に保存する手段と、前記各スーパーマーケットのクライアント端末（１）から伝送された同一商品の仕入数量データを同一売り出し日の日付データを基準にして集計する手段とを有し、
全クライアント端末（１）からの同一売り出し日における同一商品の総仕入数量をチラシ配布前のチラシ用版下作成時点で把握するようにしていることを特徴とするチラシ用版下の作成におけるデータ処理システム。
【請求項６】
前記サーバ装置（２）は、前記クライアント端末（１）から伝送された商品の希望仕入単価を把握し、最低希望仕入単価を判定する手段を備えていることを特徴とする請求項５に記載のチラシ用版下の作成におけるデータ処理システム。
【請求項７】
前記総仕入数量の集計は商品別に行なっていることを特徴とする請求項５に記載のチラシ用版下の作成におけるデータ処理システム。
【請求項８】
前記サーバ装置（２）は、全クライアント端末（１）から集計した総仕入数量と最低希望仕入単価を商品別に日付データを基準として一覧表示させる手段を備えていることを特徴とする請求項６または請求項７に記載のチラシ用版下の作成におけるデータ処理システム。
【請求項９】
前記請求項５〜８のいずれかのチラシ用版下の作成におけるデータ処理システムに、前記クライアント端末（１）を設置しているクライアントへ商品の納入を希望する多数の問屋の問屋端末（７０）を加え、該問屋端末（７０）は前記通信回線（３）を介して前記多数のクライアント端末（１）及びサーバ装置（２）と接続されており、
前記サーバ装置（２）には、前記各クライアント端末（１）から伝送された商品別の総仕入数量データと最低希望仕入単価データとを保存する保存手段と、前記問屋端末（７０）ごとに前記保存手段より読み出した総仕入数量データと最低希望仕入単価データに基づいて商品別の総仕入数量と最低希望仕入単価とを一覧表示させる手段と、前記各問屋端末（７０）から入力された入札価格データを保存する保存手段と、入札期限後に前記両保存手段から読み出した商品の最低希望仕入単価データと入札価格データとを比較して落札する問屋端末（７０）を商品別に決定する手段とを備えていることを特徴とするチラシ用版下の作成におけるデータ処理システムを利用した入札システム。
【請求項１０】
前記サーバ装置（２）には、商品別に入札した各問屋端末（７０）からの入札価格を一覧表示させる手段を備えていることを特徴とする請求項９に記載のチラシ用版下の作成におけるデータ処理システムを利用した入札システム。
【請求項１１】
前記サーバ装置（２）には、入札結果に応じて落札の成否を表示させる手段を備えていることを特徴とする請求項１０に記載のチラシ用版下の作成におけるデータ処理システムを利用した入札システム。
【請求項１２】
前記サーバ装置（２）には、入札の結果、落札した問屋端末（７０）側へ商品の配送先の一覧表を伝送する手段を備えていることを特徴とする請求項１１に記載のチラシ用版下の作成におけるデータ処理システムを利用した入札システム。
【請求項１３】
前記配送先の一覧表を伝送する手段の一つとして電子メールを用いていることを特徴とする請求項１２に記載のチラシ用版下の作成におけるデータ処理システムを利用した入札システム。
【手続補正２】
【補正対象書類名】明細書
【補正対象項目名】全文
【補正方法】変更
【補正の内容】
【発明の詳細な説明】
【技術分野】
【０００１】
本発明は、新聞と共に配布されるチラシのチラシ用版下を作成する際に、入力される諸データを利用したチラシ用版下の作成過程におけるデータ処理方法及びチラシ用版下の作成におけるデータ処理システム、並びにチラシ用版下の作成におけるデータ処理システムを利用した入札システムに関するものである。
【背景技術】
【０００２】
新聞と共に配布されるチラシは、コスト及び納期等にて非常に競争が激しくなってきている。スーパーマーケットなどでは、お客の取り込みを図るために、特売品をチラシに載せているのは良く見られる現象である。チラシを週に少なくとも１回、あるいは２回配布してスーパーマーケットの売り上げを高めるようにしている。
そのため、スーパーマーケット側では、チラシを何千枚、あるいは何万枚と配布するとした場合、そのコストも膨大になる。そこで、チラシを印刷する印刷会社側にコストダウンが要求されてくる。
【０００３】
このスーパーマーケット側からのコストダウンの要求に対して克服すべく、下記の特許文献１がある。
【０００４】
【特許文献１】特許第３３０８２６１号
【０００５】
この特許文献１の特許権者及び発明者は、本出願の発明者であり、この特許文献１により、チラシを作成する場合に、印刷会社側での作業において、売価の額等の間違いを皆無にしたり、また、コストを大幅に下げ、さらには納期を大幅に短縮させることに成功したものである。
【０００６】
特許文献１に記載の技術により、チラシの印刷ミスを無くしたり、納期のスピードアップ、チラシ１枚当たりのコストの削減というスーパーマーケット側及び印刷会社側の双方の利益を得るということに関しては、十分に達成することができた。
【０００７】
しかしながら、スーパーマーケット側から見ればチラシのコストだけが下がれば良いというものではなく、最も重要なものは、仕入れる商品の単価（仕入単価）である。他のスーパーマーケットが販売する商品より安く販売するか、あるいは少なくとも同じ価格（値段）で販売しなければお客が他のスーパーマーケットに流れて、店全体の売り上げ額が減少してしまうことになる。
利益を少なくして商品を販売すると、スーパーマーケット側の全体の利益も減少することになり、スーパーマーケット側にとっては経営的に非常に厳しくなる。
【０００８】
一方、全国展開を図っている巨大スーパーでは、販売する商品は一括して大量に購入するために、商品を納入する業者側がスーパー側の言いなりになっているのが現状である。そのため、巨大スーパーは大量の商品を安く販売することが可能になり、消費者は近所にスーパーがあっても近くのスーパーには行かず、たとえ少々遠くても安い商品を販売している巨大スーパーへ足を運ぶことになる。
この結果、１店舗、あるいは２〜３店舗のみしか有しない小さなスーパーは売り上げを伸ばすことが出来なくなる。日本全体の経済、経営的な面から見れば、単に中小のスーパーが淘汰されるということになるが、中小のスーパー側から見れば到底容認できるものではない。
【０００９】
また、中小のスーパーは、日本全国に多数の店舗を有する巨大スーパーとは違って１店舗、あるいは２〜３店舗を有するに過ぎず、仕入れる商品の総数量が少なく最初から巨大スーパーに太刀打ちできるものではない。
同じ地域の複数のスーパーが共同して商品を仕入れることも考えられるが、競争相手と共同で商品を仕入れることになり、簡単にはうまく行かないのも現状である。
【００１０】
一方、スーパーに商品を納入する問屋側から見れば以下のようなことがある。例えば、商品の賞味期限の関係で早急に商品をさばきたい場合があり、しかも該商品が大量に在庫となっている場合である。この大量の在庫の商品をさばく場合でも、中小のスーパーでは量的に商品をさばくことができず、多数の中小のスーパーに行って営業活動を行なう必要がある。
そのため、賞味期限が迫った商品をさばききれず、原価より大幅な価格で納入しなければならない場合や、売れ残った在庫の商品を廃棄しなければならないという場合もある。
【００１１】
また、印刷会社側から見た場合、以下のようなことがある。印刷会社は、１社の中小のスーパーのみのチラシを印刷しているものではなく、同じ地域（例えば、京都市内、大阪市内）、あるいは隣接する地域（例えば、京阪神地区）の多数の中小のスーパーのチラシを印刷している。
そして、特許文献１に記載の技術にてチラシ用版下を作成する場合、多数の中小のスーパーからの商品データ（商品名、該商品を製造している会社名、該商品の容量、該商品の店舗での売価）を入手している。
【００１２】
また、チラシを配布する場合、チラシには日付が必ず記載されているものであり、また、チラシの配布の約３〜７日前にチラシの版下を作成している。さらに、特売等のチラシの配布は、通常は週末が多く、しかも、多数の中小のスーパーが同時期にチラシを配布している。
【００１３】
そこで、印刷会社側にはクライアントである多数の中小のスーパーからの商品情報（商品データ）が自動的に入手されることから、この商品情報を如何に利用して、１店舗のみしか有しない零細なスーパーでも巨大スーパーと比較しても同等な商品の仕入単価で仕入れることができるようにすれば、零細あるいは中小のスーパーでも巨大スーパーに対して十分に対抗することができるようになる。
【発明の開示】
【発明が解決しようとする課題】
【００１４】
本発明は上述の問題点に鑑みて提供したものであって、少なくとも以下に示す目的を持ったチラシ用版下の作成過程におけるデータ処理方法及びチラシ用版下の作成におけるデータ処理システム、並びにチラシ用版下の作成におけるデータ処理システムを利用した入札システムを提供するものである。
（１）クライアントがチラシ用版下を作成する際に商品の仕入数量も入力させることで、多数のクライアントが同日あるいは同時期に販売する同じ商品の総数量をチラシ配布前に把握すること。
（２）同日あるいは同時期に販売する商品の総仕入数量は、商品別に把握すること。
（３）多数の中小のスーパーが販売する商品の総仕入数量でもって、総仕入数量を把握している印刷会社側が問屋側に商談を持ちかけて巨大スーパーと同じくらいに安価に商品を納入できるようにすること。
（４）多数のクライアントから商品の仕入数量と共に希望仕入単価も入力させて、最も安価な希望仕入単価で持って問屋側と折衝して、安価に商品を仕入れることができるようにすること。
（５）多数の問屋側にインターネット上で多数のクライアントが仕入れる商品の総仕入数量を公開し、入札させることで、商品を安価に仕入れることができるようにすること。
（６）入札の結果、落札した問屋側に商品の配送先の一覧表をインターネット上で呈示し、商品の配送を迅速化すること。
【課題を解決するための手段】
【００１５】
そこで、本発明の請求項１に記載のチラシ用版下の作成過程におけるデータ処理方法では、チラシを発注する多数のスーパーマーケット側に設置されているクライアント端末１と、このクライアント端末１から受注したチラシを製作する印刷会社側に設置されているサーバ装置２とがインターネットなどの通信回線３を介して接続されており、
前記多数のスーパーマーケットの内、あるスーパーマーケットは店舗数が１つであり、あるスーパーマーケットは店舗数が複数であり、各スーパーマーケットはそれぞれ競争相手であり、
前記各クライアント端末１が設けられているスーパーマーケット側には、商品、売価をチラシのどの場所に印刷するかのレイアウトが予め決められていて、印刷場所指定用、店名表示用、売り出し期間用のコードが各印刷場所にそれぞれ設けられているレイアウトファイル３０と、複数種類の商品名と該商品名に対応したコードが記載されている商品コードファイル３６とが予め備えられており、
前記クライアント端末１には、前記レイアウトファイル３０の各コードデータと商品コードファイル３６のコードデータを読み取る読取手段と、前記売り出し期間や商品の売価のデータが入力される入力手段とを備え、
前記サーバ装置２には、前記レイアウトファイル３０のレイアウト、商品名、売価、店名、売り出し期間の印刷場所に対応したデータベースファイルや、商品名を予めデータ化して格納しているデータベース部２４と、このデータベース部２４を制御する制御部２５とを備え、
前記クライアント端末１から通信回線３を介して順次伝送されてくる店名データ、売り出し期間の日付データ、商品名データ、印刷場所データ、売価データを前記サーバ装置２が順次取り込んでいき、該サーバ装置２では前記取り込んだ諸データに基づいて該サーバ装置２の制御部２５により前記データベース部２４に格納されているデータベースファイルに前記印刷場所、店名、売り出し期間、商品名、売価が設定されるようにしたチラシ配布前におけるチラシ用版下の作成におけるデータ処理過程において、
前記サーバ装置２側では前記商品の売価データの次に伝送されてきた商品の仕入数量データを前記日付データと共に保存し、前記各スーパーマーケットのクライアント端末１から伝送された同一商品の仕入数量データを仕入数量集計手段により同一売り出し日の日付データを基準にして集計し、全クライアント端末１からの同一売り出し日における同一商品の総仕入数量をチラシ配布前のチラシ用版下作成時点で把握するようにしていることを特徴としている。
【００１６】
請求項２に記載のチラシ用版下の作成過程におけるデータ処理方法では、前記サーバ装置２は、前記クライアント端末１から伝送された商品の希望仕入単価を把握し、最低希望仕入単価を判定する機能を有していることを特徴としている。
【００１７】
請求項３に記載のチラシ用版下の作成過程におけるデータ処理方法では、前記総仕入数量に集計は商品別に行なっていることを特徴としている。
【００１８】
請求項４に記載のチラシ用版下の作成過程におけるデータ処理方法では、前記サーバ装置２は、全クライアント端末１から集計した総仕入数量と最低希望仕入単価を商品別に日付データを基準として一覧表示させるようにしていることを特徴としている。
【００１９】
請求項５に記載のチラシ用版下の作成におけるデータ処理システムでは、チラシを発注する多数のスーパーマーケット側に設置されているクライアント端末１と、このクライアント端末１から受注したチラシを製作する印刷会社側に設置されているサーバ装置２とがインターネットなどの通信回線３を介して接続されており、
前記多数のスーパーマーケットの内、あるスーパーマーケットは店舗数が１つであり、あるスーパーマーケットは店舗数が複数であり、各スーパーマーケットはそれぞれ競争相手であり、
前記各クライアント端末１が設けられているスーパーマーケット側には、商品、売価をチラシのどの場所に印刷するかのレイアウトが予め決められていて、印刷場所指定用、店名表示用、売り出し期間用のコードが各印刷場所にそれぞれ設けられているレイアウトファイル３０と、複数種類の商品名と該商品名に対応したコードが記載されている商品コードファイル３６とが予め備えられており、
前記クライアント端末１には、前記レイアウトファイル３０の各コードデータと商品コードファイル３６のコードデータを読み取る読取手段と、前記売り出し期間や商品の売価のデータが入力される入力手段とを備え、
前記サーバ装置２には、前記レイアウトファイル３０のレイアウト、商品名、売価、店名、売り出し期間の印刷場所に対応したデータベースファイルや、商品名を予めデータ化して格納しているデータベース部２４と、このデータベース部２４を制御する制御部２５とを備え、
前記クライアント端末１から通信回線３を介して順次伝送されてくる店名データ、売り出し期間の日付データ、商品名データ、印刷場所データ、売価データを前記サーバ装置２が順次取り込んでいき、該サーバ装置２では前記取り込んだ諸データに基づいて該サーバ装置２の制御部２５により前記データベース部２４に格納されているデータベースファイルに前記印刷場所、店名、売り出し期間、商品名、売価が設定されるようにしたチラシ配布前におけるチラシ用版下の作成におけるデータ処理システムにおいて、
前記サーバ装置２側では前記商品の売価データの次に伝送されてきた商品の仕入数量データを前記日付データと共に保存する手段と、前記各スーパーマーケットのクライアント端末１から伝送された同一商品の仕入数量データを同一売り出し日の日付データを基準にして集計する手段とを有し、全クライアント端末１からの同一売り出し日における同一商品の総仕入数量をチラシ配布前のチラシ用版下作成時点で把握するようにしていることを特徴としている。
【００２０】
請求項６に記載のチラシ用版下の作成におけるデータ処理システムでは、前記サーバ装置２は、前記クライアント端末１から伝送された商品の希望仕入単価を把握し、最低希望仕入単価を判定する手段を備えていることを特徴としている。
【００２１】
請求項７に記載のチラシ用版下の作成におけるデータ処理システムでは、前記総仕入数量の集計は商品別に行なっていることを特徴としている。
【００２２】
請求項８に記載のチラシ用版下の作成におけるデータ処理システムでは、前記サーバ装置２は、全クライアント端末１から集計した総仕入数量と最低希望仕入単価を商品別に日付データを基準として一覧表示させる手段を備えていることを特徴としている。
【００２３】
請求項９に記載のチラシ用版下の作成におけるデータ処理システムを利用した入札システムでは、前記請求項５〜８のいずれかのチラシ用版下の作成におけるデータ処理システムに、前記クライアント端末１を設置しているクライアントへ商品の納入を希望する多数の問屋の問屋端末７０を加え、該問屋端末７０は前記通信回線３を介して前記多数のクライアント端末１及びサーバ装置２と接続されており、
前記サーバ装置２には、前記各クライアント端末１から伝送された商品別の総仕入数量データと最低希望仕入単価データとを保存する保存手段と、前記問屋端末７０ごとに前記保存手段より読み出した総仕入数量データと最低希望仕入単価データに基づいて商品別の総仕入数量と最低希望仕入単価とを一覧表示させる手段と、前記各問屋端末７０から入力された入札価格データを保存する保存手段と、入札期限後に前記両保存手段から読み出した商品の最低希望仕入単価データと入札価格データとを比較して落札する問屋端末７０を商品別に決定する手段とを備えていることを特徴としている。
【００２４】
請求項１０に記載のチラシ用版下の作成におけるデータ処理システムを利用した入札システムでは、前記サーバ装置２には、商品別に入札した各問屋端末７０からの入札価格を一覧表示させる手段を備えていることを特徴としている。
【００２５】
請求項１１に記載のチラシ用版下の作成におけるデータ処理システムを利用した入札システムでは、前記サーバ装置２には、入札結果に応じて落札の成否を表示させる手段を備えていることを特徴としている。
【００２６】
請求項１２に記載のチラシ用版下の作成におけるデータ処理システムを利用した入札システムでは、前記サーバ装置２には、入札の結果、落札した問屋端末７０側へ商品の配送先の一覧表を伝送する手段を備えていることを特徴としている。
【００２７】
請求項１３に記載のチラシ用版下の作成におけるデータ処理システムを利用した入札システムでは、前記配送先の一覧表を伝送する手段の一つとして電子メールを用いていることを特徴としている。
【発明の効果】
【００２８】
本発明の請求項１に記載のチラシ用版下の作成過程におけるデータ処理方法によれば、サーバ装置２側では前記商品の売価データの次に伝送されてきた商品の仕入数量データを前記日付データと共に保存し、前記各スーパーマーケットのクライアント端末１から伝送された同一商品の仕入数量データを仕入数量集計手段により同一売り出し日の日付データを基準にして集計し、全クライアント端末１からの同一売り出し日における同一商品の総仕入数量をチラシ配布前のチラシ用版下作成時点で把握するようにしているので、チラシが実際に配布される前の段階のチラシ用版下を作成する時点で、多数のスーパーマーケットが仕入れようとする商品別に商品の総仕入数量をサーバ装置２側で把握することができる。商品の総仕入数量を把握しているサーバ装置２の管理者が各問屋に折衝して仕入単価が最も低い問屋に商品を納入させるようにすることで、１店舗しか有しない中小のスーパーマーケットであっても、巨大スーパーと同様の仕入単価で仕入れができ、十分に利益を確保することができる。
これにより、この商品別の総仕入数量は、巨大スーパーが仕入れようとする数量に匹敵するものであり、互いに孤立した独立系の中小のスーパーマーケットであっても、商品を仕入れする際に巨大スーパーに十分に対抗することができる。
【００２９】
請求項２に記載のチラシ用版下の作成過程におけるデータ処理方法によれば、前記サーバ装置２は、前記クライアント端末１から伝送された商品の希望仕入単価を把握し、最低希望仕入単価を判定する機能を有しているので、多数のクライアント端末１からの希望仕入単価の中で最低希望仕入単価を判定し、この判定した最低希望仕入単価でもってサーバ装置２側の管理者が商品の納入を希望する問屋側と折衝でき、すべての問屋の希望仕入単価に対して満足のいく折衝を行なうことができる。
【００３０】
請求項３に記載のチラシ用版下の作成過程におけるデータ処理方法によれば、前記総仕入数量の集計は商品別に行なっているので、スーパーマーケットが取り扱う膨大な種類の商品のすべてを容易に把握することができる。
【００３１】
請求項４に記載のチラシ用版下の作成過程におけるデータ処理方法によれば、前記サーバ装置２は、全クライアント端末１から集計した総仕入数量と最低希望仕入単価を商品別に日付データを基準として一覧表示させるようにしているので、サーバ装置２側の管理者は、総仕入数量と最低希望仕入単価の一覧を容易に把握することができる。
【００３２】
請求項５に記載のチラシ用版下の作成におけるデータ処理システムによれば、サーバ装置２側では前記商品の売価データの次に伝送されてきた商品の仕入数量データを前記日付データと共に保存する手段と、前記各スーパーマーケットのクライアント端末１から伝送された同一商品の仕入数量データを同一売り出し日の日付データを基準にして集計する手段とを有し、全クライアント端末１からの同一売り出し日における同一商品の総仕入数量をチラシ配布前のチラシ用版下作成時点で把握するようにしているので、チラシが実際に配布される前の段階のチラシ用版下を作成する時点で、多数のスーパーマーケットが仕入れようとする商品別に商品の総仕入数量をサーバ装置２側で把握することができる。商品の総仕入数量を把握しているサーバ装置２の管理者が各問屋に折衝して仕入単価が最も低い問屋に商品を納入させるようにすることで、１店舗しか有しない中小のスーパーマーケットであっても、巨大スーパーと同様の仕入単価で仕入れができ、十分に利益を確保することができる。
これにより、この商品別の総仕入数量は、巨大スーパーが仕入れようとする数量に匹敵するものであり、互いに孤立した独立系の中小のスーパーマーケットであっても、商品を仕入れする際に巨大スーパーに十分に対抗することができる。
【００３３】
請求項６に記載のチラシ用版下の作成におけるデータ処理システムによれば、前記サーバ装置２は、前記クライアント端末１から伝送された商品の希望仕入単価を把握し、最低希望仕入単価を判定する手段を備えているので、多数のクライアント端末１からの希望仕入単価の中で最低希望仕入単価を判定し、この判定した最低希望仕入単価でもってサーバ装置２側の管理者が商品の納入を希望する問屋側と折衝でき、すべての問屋の希望仕入単価に対して満足のいく折衝を行なうことができる。
【００３４】
請求項７に記載のチラシ用版下の作成におけるデータ処理システムによれば、前記総仕入数量の集計は商品別に行なっているので、スーパーマーケットが取り扱う膨大な種類の商品のすべてを容易に把握することができる。
【００３５】
請求項８に記載のチラシ用版下の作成におけるデータ処理システムによれば、前記サーバ装置２は、全クライアント端末１から集計した総仕入数量と最低希望仕入単価を商品別に日付データを基準として一覧表示させる手段を備えているので、サーバ装置２側の管理者は、総仕入数量と最低希望仕入単価の一覧を容易に把握することができる。
【００３６】
請求項９に記載のチラシ用版下の作成におけるデータ処理システムを利用した入札システムによれば、前記サーバ装置２には、前記各クライアント端末１から伝送された商品別の総仕入数量データと最低希望仕入単価データとを保存する保存手段と、前記問屋端末７０ごとに前記保存手段より読み出した総仕入数量データと最低希望仕入単価データに基づいて商品別の総仕入数量と最低希望仕入単価とを一覧表示させる手段と、前記各問屋端末７０から入力された入札価格データを保存する保存手段と、入札期限後に前記両保存手段から読み出した商品の最低希望仕入単価データと入札価格データとを比較して落札する問屋端末７０を商品別に決定する手段とを備えているので、サーバ装置２側で入札期限後に多数のクライアント端末１からの最低希望仕入単価と多数の問屋端末７０からの入札価格とを比較して落札する問屋端末７０を商品別に決定することができ、商品を落札する問屋をスムーズに決定することができる。
また、問屋側では、クライアント側が仕入れようとする商品の総仕入数量が容易に分かり、例えば、問屋が在庫として持っている商品の中で賞味期限が近いものがある場合など、入札価格を少し安くすることで、賞味期限に近い商品を確実かつ大量にさばくことができ、問屋側及びクライアント側の双方に利益をもたらすものである。
【００３７】
請求項１０に記載のチラシ用版下の作成におけるデータ処理システムを利用した入札システムによれば、前記サーバ装置２には、商品別に入札した各問屋端末７０からの入札価格を一覧表示させる手段を備えているので、サーバ装置２の管理者は、問屋端末７０からの入札状況を容易に把握することができる。
【００３８】
請求項１１に記載のチラシ用版下の作成におけるデータ処理システムを利用した入札システムによれば、前記サーバ装置２には、入札結果に応じて落札の成否を表示させる手段を備えているので、問屋端末７０側では、落札状況に応じて今回の入札価格を次回の入札の参考資料とすることができ、有益となる。
【００３９】
請求項１２に記載のチラシ用版下の作成におけるデータ処理システムを利用した入札システムによれば、前記サーバ装置２には、入札の結果、落札した問屋端末７０側へ商品の配送先の一覧表を伝送する手段を備えているので、商品を落札した問屋端末７０の問屋側は、配送先の一覧表によりスムーズに配送準備を行なうことができる。
【００４０】
請求項１３に記載のチラシ用版下の作成におけるデータ処理システムを利用した入札システムによれば、前記配送先の一覧表を伝送する手段の一つとして電子メールを用いているので、入札結果が決まり次第、問屋端末７０からサーバ装置２へアクセスすることなく、落札が判明し、配送先の一覧表によりスムーズに配送準備を行なうことができる。
【発明を実施するための最良の形態】
【００４１】
以下、本発明の実施の形態を図面を参照して詳細に説明する。本発明は、同じ発明者の特許文献１に記載の技術が前提となっているので、本発明を説明する前に特許文献１を説明する必要がある。そこで、先ず、本発明の前提部分の特許文献１について図１〜図７により説明する。また、本発明では特許文献１に記載されているチラシ用版下の作成の技術事項に関して、種々改良しているので、特許文献１と全く同じではないが、基本的な技術事項は同じである。なお、より詳細な技術事項は特許文献１に記載されている。
【００４２】
図１はクライアント端末１とサーバ装置２との概略システムブロック図を示し、チラシを発注するスーパーマーケット側に設置されているクライアント端末１と、このクライアント端末１から受注してチラシを製作する印刷会社側に設置されているサーバ装置２と、クライアント端末１とサーバ装置２間でデータ等の伝送を行なうために手段としての通信回線３とで主に構成されている。
なお、通信回線３は、電話回線、専用回線、インターネットである。
【００４３】
コンピュータで構成されるクライアント端末１は、印刷会社側のサーバ装置２から伝送されてきたチラシ原稿等を表示する表示部１１と、カラープリンタ等からなる出力部１２と、キーボードやマウスからなる入力部１３と、後述するバーコードを読み取るバーコードリーダー１４と、プログラムを格納しておく記憶部１５と、全体の制御を司る制御部１６とで構成されている。
【００４４】
また、印刷会社側のサーバ装置２はホストコンピュータとしての機能を備えており、チラシ原稿を画面上に表示させる表示部２１と、キーボードやマウスからなる入力部２２と、カラープリンタ等からなる出力部２３と、商品名を予めデータ化して格納し、また、後述する種々のデータベースファイルを予め格納しているデータベース部２４と、全体の制御を司る制御部２５等で構成されている。なお、上記データベース部２４は、制御用プログラムをも予め格納されている。
【００４５】
図５は、スーパーマーケット側に予め保管させておくチラシのレイアウトファイル３０の一例を示し、このレイアウトファイル３０はプリントアウトしたものである。クライアントであるスーパーマーケットが配布するチラシの構成は、大体同じようなパターンが多く、セールス期間の日付と、挿入する商品、売価等が異なるだけである。
また、印刷会社側で当該スーパーマーケットが配布するチラシの他のレイアウトを複数予め用意しておき、複数種類のパターンのレイアウトを構成したレイアウトファイル３０からなる図２に示すようなレイアウト集をスーパーマーケット側に保管させておく。
【００４６】
チラシ作成の特徴として、バーコードを読み取って店名、日付、商品、売価等を取得し、それを印刷会社側のサーバ装置２に反映させている点である。したがって、各種データに対応させたバーコードを図５に示すように、レイアウトファイル３０に印字しておき、任意の場所に任意の商品を印刷できるようにしている。
図５の例では、レイアウトファイル３０の右上に、当該スーパーマーケットの店名コードを入力する店名コード入力部３１を設け、また、左上にはセールス期間を入力する日付コード入力部３２を設けている。さらに、レイアウトファイル３０には、商品を印刷する場所を予め決めておき、その商品の場所を認識させるための場所コード入力部３３が複数設けられている。
【００４７】
上記場所コード入力部３３には、商品名と売価とが印刷されるようになっており、商品写真をも同時に印刷する場合には、写真配置部３４を備えた場所コード入力部３５も複数設けている。図５の例では、四角枠の中に「写真」と記載しているのが写真配置部３４を示し、この写真配置部３４に近接して略円形部分が場所コード入力部３５である。
商品写真を印刷する写真配置部３４とセットした場所コード入力部３５と、商品写真を印刷せずに商品名と売価を印刷する場所コード入力部３３は、任意の位置に設けても良い。図５に示すのは一例である。なお、図４に一部を拡大したのを示す。
【００４８】
また、スーパーマーケット側には、上記レイアウトファイル３０を複数種類からなるレイアウト集（図２参照）の他に、図３に示すような商品コードファイル３６も同時に保管させるようにしている。この商品コードファイル３６には、当該スーパーマーケットが販売する商品の名称と、その商品に対応したバーコードを記載したものであり、図３の例では、にんじん、だいこん、ほうれん草、しいたけ、はくさい、じゃがいもである。そして、その商品名の横にバーコードを記載している。
【００４９】
一方、印刷会社側のサーバ装置２には、図５に対応したデータベースファイルを持っており、図６にこのデータベースファイルを示す。図５に示すレイアウトファイル３０と、データベース部２４内に格納している図６に示すデータベースファイルとは対応しており、実際に商品名や売価等の文字や数字が入力される前は、該当するデータベースファイルの場所は、ゼロ表示されている。
ここで、データベースファイルには、商品名と売価等の文字や数字の大きさは予め決めておき、指定された場所コードの次に入力された文字や数字は所定の大きさに決定されることになる。また、カラー表示を行なう場合には、文字や数字の大きさと一緒に色の属性も予め決めておく。例えば、売価は赤色とかである。
【００５０】
チラシの版下は、例えば、図７に示すようなものであり、これら図６に示すデータベースファイルや、図７に示す印刷例をプリントアウトしたものをファイルとして、レイアウトファイル３０とともにスーパーマーケット側に渡しておくことで、スーパーマーケット側はクライアント端末１でチラシの原稿を作成する場合に、どのようなレイアウトのチラシが作成されるのかが容易に把握することができる。
【００５１】
次に、クライアント端末１とサーバ装置２とでチラシの版下を作成する場合の動作について説明する。まず、図２に示すレイアウト集から任意のレイアウトファイル３０を選択する。そして、クライアント端末１のバーコードリーダー１４により、店名コード入力部３１で店名コードを読み取る。なお、店名コード入力部３１では、どのレイアウトファイル３０を選択したかを同時に読み取るようにしている。
次に、上記と同様に日付コード入力部３２をバーコードを読み取ると共に、セールス期間（例えば、３月２日〜３月４日）をキーボードから入力する。次に、場所コードを入力するが、この時、チラシのどの場所に何の商品を入れるかを決定する。
【００５２】
例えば、図５に示すレイアウトファイル３０の左上部の場所コード入力部３５を指定してその場所コードをバーコードリーダー１４にて読み取ると、その位置が決定され、次に、その場所に印刷する商品（例えば、にんじん）に対応した商品コードを入力する。例えば、図３に示す商品コードファイル３６から、にんじんの横に記載されているバーコードを読み取る。すると、この場所コード入力部３５は、写真配置部３４とセットとなっているので、自動的に「にんじんの写真」が入るようになっている。
【００５３】
次に、そのにんじんの売価をキーボードのテンキーから直接入力する。これにより、チラシの左上部には、にんじんの写真、名称、売価が設定されることになる。上記のように、場所コード入力部３３、３５のバーコードを読み取り、その場所に入れる商品コード、売価をそれぞれ入力することで、スーパーマーケット側のクライアント端末１でチラシの原稿ができることになる。この結果を通信回線３を介して印刷会社側のサーバ装置２へ伝送する。
【００５４】
次に、印刷会社側のサーバ装置２の動作について説明する。スーパーマーケット側のクライアント端末１から通信回線３を介して印刷会社側のサーバ装置２が原稿のデータを受信すると、受信したデータから先ずどのデータベースファイルを用いるのかを判断して、スーパーマーケット側が用いたレイアウトファイル３０に対応した図６に示すようなデータベースファイルをデータベース部２４から取り出す。
次に、指定された場所コードに商品写真が付随しているかどうかを判断し、商品写真がセットされていない場合には指定された場所に、バーコードで指定された商品名、売価を当該指定場所に設定する。
【００５５】
指定された場所に商品写真を印刷する場合には、指定された場所に指定された商品の写真、商品名、売価等を設定する。ここで、商品写真、商品名等は、データベース部２４内で予めセットして格納しておき、商品写真がセットされている場所コードの場合には、そのデータをそのまま取り出して、その場所に売価とともに設定するが、商品写真がセットされておらず、商品名だけの場合では、データベース部２４からは商品名だけを取り出して、その場所に売価とともに設定するようにしている。
【００５６】
このようにして、印刷会社側のサーバ装置２では、スーパーマーケット側が選択したレイアウトファイル３０に対応したデータベースファイルを取り出し、クライアント端末１にて設定された場所コード、及びこれに付随する商品名、売価等は、場所コードに付随しているデータからデータベースファイルにそれぞれ設定されることで、チラシ用版下が作成され、これを登録する。
次に、上記のようにして作成されたチラシ用版下は、スーパーマーケット側はクライアント端末１の表示部１１の画面上で確認する。なお、クライアント端末１からチラシの原稿をサーバ装置２へ伝送した時点で、サーバ装置２では上記の処理が瞬時に行なわれるので、クライアント端末１から原稿のデータを伝送すると、該クライアント端末１の表示部１１ですぐにチラシの版下を画面上で確認することができる。また、画面ではカラー表示されているので、色の確認もすぐに行なうことができる。
【００５７】
このようにして、チラシ用版下が完成すると、版下のデータベースファイルをプレートセッターに出力し、チラシの印刷に取りかかる。印刷後は、新聞配達所に配送する。
【００５８】
ここで、クライアント端末１では、商品コードや売価をすべて入力してからサーバ装置２へ伝送し、その結果をクライアント端末１側で表示するようにしている。しかし、商品コード、売価を入力するごとにクライアント端末１からサーバ装置２へ伝送し、サーバ装置２側ではこれをデータベースファイルの指定された場所に商品名、売価を設定し、これをクライアント端末１へ伝送して指定場所、商品名、売価をクライアント端末１側でその都度表示させるリアルタイム式で行なうようにしても良い。
【００５９】
かかるチラシ用版下の作成方法により、チラシの受注から新聞配達所までの日数を約２〜３日間にでき、納入を非常に短縮することができる。また、チラシのどの場所に、何の商品を、いくらの値段でするかは、クライアント端末１のスーパーマーケット側が設定、入力するので、印刷会社側での間違いが皆無となり、また、商品と売価、場所の位置決めの調整がなくなり、そのため、チラシのコストを非常に安くすることができる。
【００６０】
以上の内容が上記特許文献１に記載されているチラシ用版下の基本的な技術事項であり、このデータ処理方法ないしデータ処理システムを前提とした本発明について以下に詳述する。
【００６１】
図８は本発明の全体のシステムブロック図を示し、印刷会社側のサーバ装置２を中心として、通信回線３（以下インターネット３という。）を介して多数のスーパーマーケット側のクライアント端末１・・・と、スーパーマーケットへ商品を落札して納入しようとする多数の問屋側の問屋端末７０・・・が接続されている。
【００６２】
ここで、本発明では、商品の共同仕入という観点からスーパーマーケット側、つまりクライアント端末１が多数を前提としている。また、巨大スーパーと対抗して商品を安く仕入れるために入札を行なうということから問屋側、つまり問屋端末７０も多数を前提としている。
また、スーパーマーケットの店舗数は、印刷会社が請け負っている数として実際には１００店舗以上であり、そのため、商品の総仕入数量が膨大となることと、入札競争をして商品を安価に仕入れることから、問屋は多ければ多いほど良い。また、スーパーマーケットで扱う商品の種類は何千アイテムもあり、このアイテム数に対応できる大きさの問屋はもちろん、少ないアイテムの商品を扱っている問屋の場合でも良い。
【００６３】
スーパーマーケット側のクライアント端末１のコンピュータのハード構成は基本的には図１の場合と同様であり、クライアント端末１にインストールされるソフトウエアが若干異なる（機能の追加）だけである。また、印刷会社側のサーバ装置２のコンピュータのハード構成も基本的には図１の場合と同様であり、クライアント端末１の場合と同様にインストールされるソフトウエアが若干異なる（機能の追加）だけである。
問屋側の問屋端末７０のコンピュータは、現在ではＷｅｂブラウザ機能や、電子メール機能はどのようなパソコンでも付随しているので、市販の一般的なパソコンで十分である。また、問屋端末７０はサーバ装置２やクライアント端末１とは異なり専用のソフトウエアは不要であり、一般の市販のパソコンで使用可能である。
【００６４】
図９は印刷会社側のサーバ装置２の主要な制御部２５とデータベース部２４とのブロック図を示している。この制御部２５は、上述した処理にてクライアント端末１からのデータを受けてチラシ用版下を作成するためのチラシ版下作成部４０と、商品別仕入数量集計部４１と、商品別仕入単価最低価格判定部４２と、商品別仕入単価決定部４３と、入札期限設定部４４と、サーバ装置側一覧表作成部４５と、電子メールの本文作成や電子メールの送受信機能を備えているメールサーバ機能部４６と、商品別入札価格集計部４７と、商品別入札価格判定部４８と、商品別入札価格決定部４９と、商品別配送先作成部５０と、問屋端末側一覧表作成部５１と、これら各部の全体の制御を行なうＣＰＵ５２等で構成されている。なお、各部の内容、機能については後述していく。また、記憶装置としての機能を備えたデータベース部２４にて上記各部で受信した諸データや作成した表などのデータが保存されるようになっている。
【００６５】
ここで、各スーパーマーケットが問屋から共同仕入を行なう商品、つまり仕入数量を集計する商品は、製造メーカーが製造する食品で、野菜、魚肉などの鮮度が非常に要求される食品は扱わない。しかし、物流のスピードなどの関係でこれらの野菜、魚肉などを扱うようにしても良い。
【００６６】
図１０は、あるスーパーマーケット側のクライアント端末１のフローチャートを示し、図１０を参照してクライアント端末１の動作を説明する。ステップＳ１からステップＳ６までは上述した動作と同じであり、ステップＳ１に示すように、クライアント端末１側でクライアントが任意のレイアウトファイル３０を選択し、バーコードリーダー１４にてレイアウトファイル３０から店名コードを入力する。
次に、ステップＳ２及びステップＳ３に示すように、バーコードリーダー１４にて店名コード、日付コードを読み取り、さらに、場所コードを読み取る（ステップＳ４参照）。次いでステップＳ５及びステップＳ６に示すように、商品コードを読み取り、さらに売価をキーボードから入力する。以上の操作は今までと同様の操作である。
【００６７】
次に、ステップＳ７において、今入力した商品の仕入数量を入力しない場合にはステップＳ１０に移行する。商品の仕入数量を入力する場合にはステップＳ８に移行してクライアント端末１の入力部１３のキーボードから該商品の仕入数量を入力する。
商品の仕入数量を入力した後は、ステップＳ９に示すように、該商品の希望仕入単価をキーボードから入力する。ここで、希望仕入単価とは、その業界で使用されている単価であり、１個の場合、半ダース、１ダース、１箱の場合などが該当する。
【００６８】
商品の希望仕入単価を入力した後、ステップＳ１０に進んで、次に商品コードを入力する場合はステップＳ４に戻って上記の操作を繰り返す。この操作はチラシに掲載する商品をすべて設定するまで行ない、チラシの原稿を作成し終わった後はステップＳ１１に移行し、サーバ装置２からインターネット３を介して伝送されてきたデータベースファイル（チラシ用版下）の画面表示を見て、その内容で良ければ確認ボタン（図示せず）をクリックすることで、チラシ原稿の作成が終了する。
【００６９】
ここで、図１１はマヨネーズに関連した商品コードファイル３６を示し、マヨネーズの製造メーカー、４００ｇ、１ｋｇといった容量がそれぞれ記載されており、例えば、○○○社のマヨネーズで、容量が１ｋｇの場合は、上から２つめのバーコードをバーコードリーダー１４にて読み取る。
また、図１２はソースの商品コードファイル３６を示し、ソースは、「ウスターソース」と「とんかつソース」とがあり、それぞれの商品別に対応させてバーコードを横に記載している。例えば、△△△社の「とんかつソース」で、容量が５００ｇの場合には、一番下のバーコードをバーコードリーダー１４にて読み取る。
【００７０】
図１３は、例えば、Ａスーパーが上記の操作でチラシの原稿を作成した場合における仕入れる商品の一例を示し、売り出し日が「３月１日」で、それぞれの商品の商品データ（商品名、会社名、容量）、仕入数量、希望仕入単価（価格）が入力されている。
図１４は、同様にＢスーパーがチラシの原稿を作成した場合における仕入れる商品の一例である。このＢスーパーは、店舗数が１つで比較的小さなスーパーマーケットとし、Ａスーパーは、店舗数が複数あり、Ｂスーパーと比べて規模が比較的大きなスーパーマーケットの場合である。
【００７１】
したがって、ＢスーパーはＡスーパーと比べて全商品の仕入数量は少なく、また、希望仕入単価も仕入数量の関係から高くなっている。スーパーマーケット単独で商品を仕入れしようとすると、仕入数量の関係からＢスーパーは、Ａスーパーと比べて高い価格で問屋から仕入れざるを得ないのが現状である。しかし、本発明では、Ａスーパー、Ｂスーパー、Ｃスーパー・・・等が多数のスーパーマーケットが共同仕入をすることで、仕入単価を安くできるようにしている。
【００７２】
図１５はサーバ装置２側のフローチャートを示し、ステップＳ２６〜ステップＳ２８を除いては特許文献１に記載されている制御と同じである。また、サーバ装置２側ではクライアント端末１からデータを受信するたびに、データベース部２４から取り出したレイアウトファイル３０に対応するデータベースファイルに場所、商品名、売価等を設定するようにしている。なお、図１５においては、説明の便宜上、写真配置に関しては省略している。
【００７３】
図１５において、クライアント端末１から受信したデータから対応するデータベースファイルをデータベース部２４から取り出し（ステップＳ２１参照）、続いて伝送されてくる店名コードデータ、日付コードデータを取り込む（ステップＳ２２参照）。これらのデータを取り込むたびに図９に示すチラシ版下作成部４０によりデータベースファイルに店名、日付けが設定される（ステップＳ４１参照）。
続いて、サーバ装置２は、クライアント端末１から伝送されてきた場所コード（ステップＳ２３参照）、商品名、会社名、容量等の商品データ（ステップＳ２４参照）及び売価データを取り込み（ステップＳ２５参照）。これらのデータを取り込むと同時に、チラシ版下作成部４０によりデータベースファイルに場所、商品名、売価が決定ないし設定される（ステップＳ４２〜ステップＳ４４参照）。
【００７４】
次に、図１５のステップＳ２６に示すように、売価データの次に仕入数量データが伝送されてきた場合には、ステップＳ２７に移行して仕入数量データを取り込む。次に、ステップＳ２８に示すように、希望仕入単価データを取り込み、ステップＳ２９に進む。ステップＳ２９では、次のデータが場所データであれば、ステップＳ２３に戻ってこれらの制御動作（データの取り込み動作）が繰り返される。なお、上記の商品別の仕入数量データや希望仕入単価データはデータベースファイル（チラシ作成）には反映されないものであり、かかる仕入数量データ、希望仕入単価データはデータベース部２４に一時保存される。
ステップＳ２９において、次のデータが確認ボタンからの信号であれば（ステップＳ３０参照）、チラシ用版下が完成し、データベースファイルを登録し、データベース部２４に保存する。
【００７５】
このようにして、多数のスーパーマーケットのクライアント端末１からチラシ用版下の原稿を作成する作業において、共同仕入を行なう商品が、商品別に総数量、希望仕入単価がサーバ装置２に集計される。図１６はかかる場合の機能図を示しており、各スーパーマーケットのクライアント端末１からサーバ装置２へ商品別の商品データ、仕入数量、希望仕入単価のデータが伝送され、サーバ装置２において、これらのデータを集計する。
【００７６】
図９において、商品別仕入数量集計部４１では、各スーパーマーケットからの商品別の仕入数量をセールス期間の日付データを基準にして商品別に仕入の総数量を集計する。また、商品別仕入単価最低価格判定部４２では、各スーパーマーケットから伝送されてくる希望仕入単価を日付データを基準にして商品別に集計し、どのスーパーマーケットからの希望仕入単価が最低かを判定する。
すべてのスーパーマーケットからのデータが伝送されてきた時点で、商品別仕入単価決定部４３では、商品別仕入単価最低価格判定部４２からの最低希望仕入単価データを取り込んで商品別の最低希望仕入単価を決定する。なお、チラシ用版下を作成する際に、セールス期間に対応した日付時刻を予め設定しておくことで、上記の最低希望仕入単価を決定するようにしている。
【００７７】
このようにサーバ装置２側において、クライアント端末１から伝送された商品の希望仕入単価を把握し、最低希望仕入単価を判定する機能を有しているので、多数のクライアント端末１からの希望仕入単価の中で最低希望仕入単価を判定し、この判定した最低希望仕入単価でもってサーバ装置２側の管理者が商品の納入を希望する問屋側と折衝でき、すべての問屋の希望仕入単価に対して満足のいく折衝を行なうことができる。
また、総仕入数量の集計は商品別に行なっているので、スーパーマーケットが取り扱う膨大な種類の商品のすべてを容易に把握することができる。
【００７８】
図１７は、サーバ装置２のサーバ装置側一覧表作成部４５にて作成した日付を基準とした商品別の総仕入数量と最低希望仕入単価（価格）の一覧表であり、この一覧表はサーバ装置２の表示部２１にて画面表示される。
特に、サーバ装置２において、全クライアント端末１から集計した総仕入数量と最低希望仕入単価を商品別に日付データを基準としてサーバ装置側一覧表作成部４５にて一覧表示させるようにしているので、サーバ装置２側の管理者は、総仕入数量と最低希望仕入単価の一覧を容易に把握することができる。
【００７９】
また、図１８は問屋の問屋端末７０からサーバ装置２をアクセスして問屋端末７０の画面にＷｅｂブラウザ形式にて表示される一覧表を示している。この問屋端末７０側で表示される一覧表は、図１７に示すサーバ装置２側で表示される一覧表とほぼ同様であるが、問屋端末７０側には、入札期限、入札価格、入札結果、配送先の欄が追加して表示されている。なお、この図１８に示す一覧表は、図９に示す制御部２５の問屋端末側一覧表作成部５１にて作成される。
【００８０】
図１９は問屋端末７０側の制御動作のフローチャートを示し、ステップＳ５１に示すように、問屋端末７０のＷｅｂブラウザを起動し、インターネット３を介してサーバ装置２へアクセスする（ステップＳ５２参照）。次に、ステップＳ５３に示すように、問屋端末７０の画面に表示されるログイン画面から予め設定されている問屋端末７０のアカウント、パスワードを入力し、次いで、日付を入力すると、日付に対応した商品別の総仕入数量、入札期限が挿入された図１８に示す一覧表が表示される（ステップＳ５５参照）。
【００８１】
なお、上記の入札期限は、図９に示す入札期限設定部４４にて設定されるものであり、例えば、日付（例えば、３月１日）から２日、あるいは３日前に自動的に設定するようにしても良く、あるいは、サーバ装置２側のオペレータがキーボードから手入力にて設定するようにしても良い。
【００８２】
次に、ステップＳ５６に進んで、問屋端末７０から各商品の入札価格をその欄の部分に入力する。図２０は係るＡ問屋の場合の入札価格を挿入した後の一覧表を示している。なお、問屋端末７０側の表示画面には、図１８に示すように、日付、商品データ、総仕入数量、入札期限しか表示されず、詳細なスーパーマーケット名は表示されないようになっている。
図１６はかかる場合の機能図を示しており、各問屋の問屋端末７０サーバ装置２へ商品別の入札価格が伝送され、サーバ装置２において、これらの入札価格データが一覧表に挿入されたり、集計される。また、データベース部２４内ではこれらの入札価格データが保存される。
【００８３】
各問屋の問屋端末７０からは上記のようにサーバ装置２へアクセスして一覧表から入札価格を入力していくものであり、かかる各問屋端末７０からの入札価格は図９に示すサーバ装置２の商品別入札価格集計部４７にて集計される。また、商品別入札価格判定部４８にて、どの問屋端末７０からの入札価格が低いかを常時判定しており、入札期限が経過した後に、商品別入札価格決定部４９にて最も安い入札価格を入力した問屋端末７０を商品別に決定を行なう。
また、入札の結果、入札した問屋端末７０に対して商品別の配送先の一覧表を商品別配送先作成部５０が作成し、この作成した一覧表を問屋端末７０がサーバ装置２へアクセスして画面にて見ることができる。なお、問屋端末側一覧表作成部５１は、問屋端末７０側に表示される図１８、図２０に示すような一覧表を作成する機能を有しているものである。
【００８４】
図２１は、図９に示すサーバ装置２のサーバ装置側一覧表作成部４５にて作成された一覧表を示し、各問屋端末７０からの商品別の入札状況の状態を画面表示しており、各問屋端末７０の入札価格を表示させて入札価格の状況が容易にリアルタイムで把握できるようになっている。これにより、サーバ装置２の管理者は、問屋端末７０からの入札状況を容易に把握することができる。
また、この図２１に示す一覧表の右側には、入札されたか否かの入札の成否を示す欄と、商品別にどの問屋端末７０（問屋）が入札したかを示す欄とが設けられている。
【００８５】
入札期限が経過すると、サーバ装置２の商品別入札価格決定部４９にて商品別に入札の成否を決定し、その結果を図２１に示すように「入札の成否」の欄の箇所に落札された場合には○印が表示され、同時にどの問屋端末７０が落札したかを「問屋名」の欄の箇所に表示される。なお、最低希望仕入単価より高い価格で入札が応募された場合には、入札が成立しなかったとして、「入札の成否」の欄に×印が表示されることになる。これにより、問屋端末７０側では、落札状況に応じて今回の入札価格を次回の入札の参考資料とすることができ、有益となる。
【００８６】
また、図１９にステップＳ５７に示すように、各問屋端末７０は入札期限経過後にサーバ装置２へアクセスして入札結果を見る。図２２は、例えばＡ問屋の問屋端末７０に画面表示されている一覧表を示し、自己が入札した結果、成立した商品に「入札結果」の欄に○印が表示され（ステップＳ５８参照）、これにより、自己がどの商品を入札して落札したかを容易に把握することができる。
また、○印が表示されている右方の「配送先」の欄にはボタン７１が表示が表示されており、このボタン７１をクリックすると（ステップＳ５９参照）、図２３に示すように、ある商品（図２３ではマヨネーズ）の配送先の一覧表が画面が切り替わって表示される（ステップＳ６０参照）。
【００８７】
図２３に示す商品別の配送先の一覧表はサーバ装置２の商品別配送先作成部５０にて作成され、各スーパーマーケット名と数量とが表示される。これを問屋端末７０側でダウンロードをしてプリントアウトし（ステップＳ６１参照）、商品を各スーパーマーケットに配送する（ステップＳ６２参照）。これにより、商品を落札した問屋端末７０の問屋側は、配送先の一覧表によりスムーズに配送準備を行なうことができる。
【００８８】
なお、入札結果は、サーバ装置２のメールサーバ機能部４６により落札した問屋端末７０へ直接にメールを送り、配送先一覧表は添付ファイルで送るようにしても良い。かかる場合には、入札結果が決まり次第、問屋端末７０からサーバ装置２へアクセスすることなく、落札が判明し、配送先の一覧表によりスムーズに配送準備を行なうことができる。
【００８９】
このように本実施形態では、チラシが実際に配布される前の段階のチラシ用版下を作成する時点で、多数のスーパーマーケットが仕入れようとする商品別に商品の総仕入数量をサーバ装置２側で把握することができる。商品の総仕入数量を把握しているサーバ装置２の管理者が各問屋に折衝して仕入単価が最も低い問屋に商品を納入させるようにすることで、１店舗しか有しない中小のスーパーマーケットであっても、巨大スーパーと同様の仕入単価で仕入れができ、十分に利益を確保することができる。
これにより、この商品別の総仕入数量は、巨大スーパーが仕入れようとする数量に匹敵するものであり、互いに孤立した独立系の中小のスーパーマーケットであっても、商品を仕入れする際に巨大スーパーに十分に対抗することができる。  
【００９０】
また、本発明の入札システムにおいては、入札期限後にクライアント端末１からの最低希望仕入単価データと問屋端末７０からの入札価格データとを比較して落札する問屋端末７０を商品別に決定しているので、サーバ装置２側で入札期限後に多数のクライアント端末１からの最低希望仕入単価と多数の問屋端末７０からの入札価格とを比較して落札する問屋端末７０を商品別に決定することができ、商品を落札する問屋をスムーズに決定することができる。
また、問屋側では、クライアント側が仕入れようとする商品の総仕入数量が容易に分かり、例えば、問屋が在庫として持っている商品の中で賞味期限が近いものがある場合など、入札価格を少し安くすることで、賞味期限に近い商品を確実かつ大量にさばくことができ、問屋側及びクライアント側の双方に利益をもたらすものである。
【図面の簡単な説明】
【００９１】
【図１】本発明の前提となるチラシ用版下のデータ処理システムのブロック図である。
【図２】本発明の前提となるレイアウトファイルを示すレイアウト集の図である。
【図３】本発明の前提となる商品コードファイルの図である。
【図４】本発明の前提となるレイアウトファイルの要部拡大図である。
【図５】本発明の前提となるレイアウトファイルの図である。
【図６】本発明の前提となるデータベースファイルの図である。
【図７】本発明の前提となるデータベースファイルにデータを設定した作成したチラシ用版下の図である。
【図８】本発明の実施の形態における全体の概略システムブロック図である。
【図９】本発明の実施の形態におけるサーバ装置の制御部のブロック図である。
【図１０】本発明の実施の形態におけるクライアント端末における動作のフローチャートである。
【図１１】本発明の実施の形態における商品コードファイルを示す図である。
【図１２】本発明の実施の形態における商品コードファイルを示す図である。
【図１３】本発明の実施の形態におけるＡスーパーが入力した商品データや仕入数量を示した表である。
【図１４】本発明の実施の形態におけるＢスーパーが入力した商品データや仕入数量を示した表である。
【図１５】本発明の実施の形態におけるサーバ装置側の制御動作を示すフローチャートである。
【図１６】本発明の実施の形態におけるクライアント端末、問屋端末及びサーバ装置間でのデータの授受を示す機能図である。
【図１７】本発明の実施の形態におけるサーバ装置で集計した共同仕入商品の一覧表を示す図である。
【図１８】本発明の実施の形態における問屋端末で画面表示される一覧表を示す図である。
【図１９】本発明の実施の形態における問屋端末側の制御動作を示す図である。
【図２０】本発明の実施の形態におけるＡ問屋の問屋端末で画面表示される一覧表を示す図である。
【図２１】本発明の実施の形態におけるサーバ装置で画面表示される一覧表を示す図である。
【図２２】本発明の実施の形態におけるＡ問屋の問屋端末で入札結果の一覧表を示す図である。
【図２３】本発明の実施の形態における落札した商品の配送先の一覧表を示す図である。
【符号の説明】
【００９２】
１  クライアント端末
２  サーバ装置
３  通信回線
２４  データベース部
２５  制御部
３０  レイアウトファイル
３６  商品コードファイル
４０  チラシ版下作成部
４１  商品別仕入数量集計部
４２  商品別仕入単価最低価格判定部
４３  商品別仕入単価決定部
４４  入札期限設定部
４５  サーバ装置側一覧表作成部
４６  メールサーバ機能部
４７  商品別入札価格集計部
４８  商品別入札価格判定部
４９  商品別入札価格決定部
５０  商品別配送先作成部
５１  問屋端末側一覧表作成部
５２  ＣＰＵ
７０  問屋端末